(57)【要約】  飲料淹出マシンにおける使用のための淹出バスケットが提供される。淹出バスケットは、開いた上部から１つ以上の開口部を有する下端部まで長手方向の長さに沿って延出する淹出容器を画定する本体を含む。淹出容器は、内部に先細りになった複数側面３次元（３Ｄ）形状を有する。淹出容器は、開いた上部において第１の断面積を有し、その第１の断面積は、複数側面３Ｄ形状の長手方向の長さに沿って、下端部における１つ以上の開口部に近接したより小さな第２の断面積にまで次第に狭くなる。開いた上部は、淹出動作の間に淹出マシンからの加熱水を受け取るように構成され、淹出された飲料が、１つ以上の開口部から排出する。淹出容器の複数側面３Ｄ形状は、淹出容器の複数側面３Ｄ形状と類似した概ね先細りの複数側面３Ｄ形状を有するフィルタパックを収容するように構成される。【選択図】  図１
2016539766.tif 000002
【特許請求の範囲】
【請求項１】
飲料淹出マシンにおける使用のための淹出バスケットであって、
開いた上部から１つ以上の開口部を有する下端部まで長手方向の長さに沿って延出する淹出容器を画定する本体であって、前記淹出容器が、内部に先細りになった複数側面３次元（３Ｄ）形状を有する、本体を備え、
前記淹出容器が、前記開いた上部において第１の断面積を有し、その第１の断面積が、前記複数側面３Ｄ形状の前記長手方向の長さに沿って、前記下端部における前記１つ以上の開口部に近接したより小さな第２の断面積にまで次第に狭くなり、
前記開いた上部が、淹出動作の間に前記淹出マシンからの加熱水を受け取るように構成され、淹出される飲料が、前記１つ以上の開口部から排出し、
前記淹出容器の前記複数側面３Ｄ形状が、前記淹出容器の前記複数側面３Ｄ形状と類似した概ね先細りの複数側面３Ｄ形状を有するフィルタパックを収容するように構成される、淹出バスケット。
【請求項２】
前記淹出容器の前記複数側面３Ｄ形状が、加熱水を前記フィルタパック内のコーヒー粉を通して前記下端部における前記１つ以上の開口部まで連続的に導くように、前記開いた上部から前記下端部まで連続的に先細りになっている、請求項１に記載の淹出バスケット。
【請求項３】
前記淹出容器の側面における先細りの量が、前記開いた上部から前記下端部における前記１つ以上の開口部まで実質的に均一である、請求項１に記載の淹出バスケット。
【請求項４】
前記淹出容器の前記下端部が、抽出を容易にするために、加熱水を、前記下端部における前記１つ以上の開口部から出る前に前記フィルタパック内のコーヒー粉を通して導くために、前記下端部における前記１つ以上の開口部に近接して漏斗形状区分を備える、請求項１に記載の淹出バスケット。
【請求項５】
前記淹出容器の前記下端部が、前記下端部において前記１つ以上の開口部に近接して漏斗形状区分を備え、抽出を容易にするために、前記フィルタパックの漏斗形状区分が前記淹出容器の前記漏斗形状区分を実質的に埋めるように、前記淹出容器が、前記フィルタパックをその中に収容するように構成される、請求項１に記載の淹出バスケット。
【請求項６】
前記淹出容器の前記複数側面３Ｄ形状が、側面が開いた四面体形状を成す、請求項１に記載の淹出バスケット。
【請求項７】
前記淹出容器の前記複数側面３Ｄ形状が、三角錐形状を成し、前記開いた上部が、前記三角錐形状の開いた側面を画定する、請求項１に記載の淹出バスケット。
【請求項８】
前記淹出容器の前記複数側面３Ｄ形状が、中心の長手方向の軸に沿って前記開いた上部から前記下端部まで延出し、前記淹出容器の前記複数側面３Ｄ形状が、前記中心の長手方向の軸にほぼ垂直に延出する平面に沿って取られた断面形状を有し、前記淹出容器の前記断面形状が、２つの側辺によって画定された断面形状、三角形状、矩形形状、四面体形状、正方形状、八角形状、少なくとも３つの側面を有する形状、少なくとも４つの側面を有する形状、または少なくとも５つの側面を有する形状のうちの少なくとも１つを含む、請求項１に記載の淹出バスケット。
【請求項９】
前記淹出容器が、前記開いた上部においてある幅を有し、加熱水が、前記下端部における前記１つ以上の開口部から排出する前に加熱水の単位当たり少なくとも選択量の固体を蓄積するまで、前記フィルタパックのコーヒー粉を通って流れるように、前記淹出容器の前記複数側面３Ｄ形状の前記長手方向の長さが、前記開いた上部における前記淹出容器の幅と少なくとも同程度に大きい、請求項１に記載の淹出バスケット。
【請求項１０】
所定の総可用固体が、前記フィルタパックに封入された前記コーヒー粉内で可用であり、前記加熱水が、前記下端部における前記１つ以上の開口部から排出する前に、前記コーヒー粉内で可用な前記所定の総可用固体の少なくとも１４％を蓄積するまで前記コーヒー粉を通って流れるように、前記淹出容器が構成される、請求項１に記載の淹出バスケット。
【請求項１１】
前記本体が、使い捨て構造で形成される、請求項１に記載の淹出バスケット。
【請求項１２】
前記淹出容器が、淹出動作の間にほぼ一杯分の飲料のみを淹出するのに適切な寸法にされたサイズを有する、請求項１に記載の淹出バスケット。
【請求項１３】
淹出容器を含む淹出バスケットを有する飲料淹出マシンにおける使用のためのフィルタパックであって、
コーヒー粉を含有する通液可能なパウチであって、前記コーヒー粉を封入する概ね先細りの複数側面３次元（３Ｄ）形状を形成するように接合された複数の側面および複数の頂点を有する、パウチを備え、
前記パウチが、前記淹出バスケットの前記淹出容器内に保有されるように構成され、前記パウチの前記複数側面３Ｄ形状およびサイズが、前記淹出容器の前記複数側面３Ｄ形状およびサイズと実質的に類似すると共に相補的であり、前記パウチの前記側面および頂点が、少なくとも２つの倒置位置のいずれかに配向されるときに前記淹出容器内に適合する多角形を形成し、前記頂点のうちの異なる関連する１つが、前記関連する倒置位置のそれぞれにあるときに前記淹出バスケットの下端部に近接して位置し、
前記パウチが、淹出動作の間に前記側面のうちの最も高い１つにおいて前記淹出マシンからの加熱水を受け取るように構成され、淹出された飲料が、前記倒置頂点から排出する、フィルタパック。
【請求項１４】
前記側面が、関連する対向頂点を有し、前記パウチの前記複数側面３Ｄ形状が、各側面から前記関連する対向頂点まで連続的に先細りになる、請求項１３に記載のフィルタパック。
【請求項１５】
前記側面が、関連する対向頂点を有し、前記パウチの前記複数側面３Ｄ形状が、各側面から前記関連する対向頂点まで連続的に先細りになり、前記先細りの量が、各側面から前記関連する対向頂点まで実質的に均一である、請求項１３に記載のフィルタパック。
【請求項１６】
前記コーヒー粉からの抽出を容易にするために、前記フィルタパックが前記関連する頂点が倒置された状態で配向されるときに、前記コーヒー粉が前記漏斗形状区分のうちのいずれか１つを埋めるように、前記パウチの前記複数側面３Ｄ形状が、前記頂点のそれぞれに近接して漏斗形状区分を含む、請求項１３に記載のフィルタパック。
【請求項１７】
前記淹出容器が、漏斗形状区分を有する下端部を含み、前記コーヒー粉からの抽出を容易にするために、前記パウチの漏斗形状区分が前記淹出容器の前記漏斗形状区分を実質的に埋めるように、前記パウチが、前記淹出容器内に収容されるように構成される、請求項１３に記載のフィルタパック。
【請求項１８】
前記コーヒー粉からの抽出を容易にするために、前記パウチが、第１の頂点が倒置された状態で前記淹出容器内に位置付けられるときに、貯水ポケットが、前記淹出動作の間に前記パウチの関連する対向する第１の側面の外部表面上に形成されるように、前記側面が、関連する対向頂点を有する、請求項１３に記載のフィルタパック。
【請求項１９】
前記コーヒー粉からの抽出を容易にするために、前記パウチおよび前記コーヒー粉が前記パウチと前記淹出バスケットの本体との間の空隙を埋めるように、前記パウチが、前記淹出動作の間に膨らむ、請求項１３に記載のフィルタパック。
【請求項２０】
前記パウチの前記側面が、三角形状を有する、請求項１３に記載のフィルタパック。
【請求項２１】
前記パウチの前記複数側面３Ｄ形状が、四面体形状を成す、請求項１３に記載のフィルタパック。
【請求項２２】
前記パウチの前記複数側面３Ｄ形状が、三角錐形状を成す、請求項１３に記載のフィルタパック。
【請求項２３】
前記フィルタパックが、前記頂点のうちのいずれか１つが倒置されるように配向されるときに、前記側面が、前記淹出容器の前記複数側面３Ｄ形状およびサイズと相補的であるように前記パウチの前記複数側面３Ｄ形状およびサイズを維持するように、前記フィルタパックの前記側面が、普遍的な配向性を形成するように接合される、請求項１に記載の淹出バスケット、請求項１３に記載のフィルタパック。
【請求項２４】
前記パウチの前記複数側面３Ｄ形状が、前記淹出動作の間に前記淹出バスケットの本体の内部表面に対して封止するように構成される、請求項１３に記載のフィルタパック。
【請求項２５】
前記パウチが、前記淹出動作の間に、ほぼ一杯分の飲料のみを淹出するように構成されている前記コーヒー粉の量を保有する、請求項１３に記載のフィルタパック。
【請求項２６】
飲料淹出マシンにおける使用のための淹出バスケットであって、
開いた上部と、１つ以上の開口部を有する下端部と、を有する淹出容器を画定する本体を備え、
前記淹出容器が、前記開いた上部から前記下端部における前記１つ以上の開口部まで延出する長手方向の高さを有し、
前記淹出容器が、前記開いた上部においてある幅を有し、
前記開いた上部が、淹出動作の間に前記淹出マシンからの加熱水を受け取るように構成され、前記下端部が、淹出された飲料を前記１つ以上の開口部から排出するように構成され、
前記加熱水が、前記下端部における前記１つ以上の開口部から排出する前に加熱水の単位当たり少なくとも選択量の固体を蓄積するまで、コーヒー粉を通って流れるように、前記淹出容器が、前記長手方向の高さが前記幅と少なくとも同程度に大きいように形作られる、淹出バスケット。
【請求項２７】
飲料淹出マシンにおける使用のための淹出バスケットであって、
開いた上部と、１つ以上の開口部を有する下端部と、を有する淹出容器を画定する本体を備え、
前記開いた上部が、淹出動作の間に前記淹出マシンからの加熱水を受け取るように構成され、前記下端部が、淹出された飲料を前記１つ以上の開口部から排出するように構成され、
前記淹出容器が、前記下端部に近接して粉保持区分を有し、前記粉保持区分が、封入フィルタパック内にコーヒー粉を保有するように構成された容積を有し、所定の総可用固体が、前記フィルタパックに封入された前記コーヒー粉内で可用であり、前記加熱水が、前記下端部における前記１つ以上の開口部から排出する前に前記コーヒー粉内で可用な前記所定の総可用固体の少なくとも１４％を蓄積するまで前記コーヒー粉を通って流れるように、前記淹出容器が構成される、淹出バスケット。
【請求項２８】
淹出容器を含む淹出バスケットを有する飲料淹出マシンにおける使用のためのフィルタパックであって、
コーヒー粉を含有する通液可能なパウチであって、前記コーヒー粉を封入する概ね先細りの複数側面３次元（３Ｄ）形状を形成するように接合された複数の側面および複数の頂点を有する、パウチを備え、
前記パウチが、前記淹出バスケットの前記淹出容器内に保有されるように構成され、前記パウチの前記複数側面３Ｄ形状およびサイズが、前記淹出容器の前記複数側面３Ｄ形状およびサイズと実質的に類似すると共に相補的であり、
前記フィルタパックが、前記関連する頂点が前記淹出容器の下端部にあるように配向されるときに、コーヒー粉が前記漏斗形状区分のうちのいずれか１つを埋めるように、前記パウチの前記複数側面３Ｄ形状が、前記頂点のそれぞれに近接して漏斗形状区分を有し、
前記パウチが、淹出動作の間に前記側面のうちの最も高い１つにおいて前記淹出マシンからの加熱水を受け取るように構成され、淹出された飲料が、前記淹出マシンの前記下端部において前記関連する頂点から排出する、フィルタパック。
【請求項２９】
飲料淹出マシンにおける使用のための淹出バスケットおよびフィルタパックのアセンブリであって、
長手方向の長さに沿って開いた上部から１つ以上の開口部を有する下端部まで延出する淹出容器を画定する本体を備える淹出バスケットであって、前記淹出容器が、内部に先細りになった複数側面３次元（３Ｄ）形状を有し、前記淹出容器が、前記開いた上部において第１の断面積を有し、その第１の断面積が、前記複数側面３Ｄ形状の前記長手方向の長さに沿って、前記下端部における前記１つ以上の開口部に近接したより小さな第２の断面積にまで次第に狭くなり、前記開いた上部が、淹出動作の間に前記淹出マシンからの加熱水を受け取るように構成され、淹出された飲料が、前記１つ以上の開口部から排出する、淹出バスケットと、
コーヒー粉を含有する通液可能なパウチを備えるフィルタパックであって、前記パウチが、前記コーヒー粉を封入する概ね先細りの複数側面３次元（３Ｄ）形状を形成するように接合された複数の側面および複数の頂点を有し、前記パウチが、前記淹出バスケットの前記淹出容器内に保有されるように構成され、前記フィルタパックの前記複数側面３Ｄ形状およびサイズが、前記淹出容器の前記複数側面３Ｄ形状およびサイズと実質的に類似すると共に相補的である、フィルタパックと、を備える、アセンブリ。
【請求項３０】
前記フィルタパックの前記パウチの前記側面および頂点が、複数の倒置位置のうちのいずれか１つに配向されるときに前記淹出容器内に適合する多角形を形成し、前記頂点のうちの異なる関連する１つが、前記倒置位置のそれぞれにおいて倒置される、請求項２９に記載のアセンブリ。
【発明の詳細な説明】
【技術分野】
【０００１】
関連出願
これは、２０１３年１０月３１日に出願され、「ＢＲＥＷ  ＢＡＳＫＥＴ  ＦＩＬＴＥＲ  ＰＡＣＫ  ＦＯＲ  ＥＬＥＣＴＲＩＣ  ＣＯＦＦＥＥ  ＢＲＥＷＩＮＧ  ＭＡＣＨＩＮＥ」と題された仮出願通し番号第６１／８９８，３１７号のＰＣＴ特許出願であると共に、その仮出願の利益を主張するものであり、その主題の全部は、その全体が本明細書に明示的に組み込まれる。
【背景技術】
【０００２】
本発明は、一般に、電気式コーヒー淹出マシン、より具体的には、電気式コーヒー淹出マシンのための淹出バスケットおよびフィルタパックに関するものである。
【０００３】
長年、ドリップ型の電気式淹出マシンが、コーヒーを淹出するための効率的な手段として使用されている。一般に、これらの電気式コーヒー淹出マシンは、冷水容器、水を加熱するための電気抵抗加熱素子、および挽いたコーヒーを紙のコーヒーフィルタ内に保有するための再使用可能なプラスチック製の淹出バスケットを含む。コーヒーを作るために、冷水が、水容器の中に排出され、コーヒー粉が、コーヒーフィルタ内に置かれ、それは、次いで、淹出バスケット内に置かれる。冷水が、電気加熱素子によって加熱され、次いで、加熱水が、コーヒー粉に浸透する。次いで、淹出されたコーヒーが、淹出バスケットの外にフィルタを通して、および淹出バスケットの下に位置付けられた受け取り用の器、例えばコーヒーポットまたはコーヒーカップの中に、ドリップ式に入れられる。淹出が完了した後、紙フィルタおよび使用済のコーヒー粉が淹出バスケットから取り出され、廃棄される。次いで、淹出バスケットおよびコーヒーポットは、再使用のために洗浄される。
【０００４】
既知の電気式コーヒー淹出マシンは、欠点がないわけではない。例えば、淹出バスケットに投入される加熱水のうちのいくらかが、コーヒー粉に浸透せずにコーヒーフィルタの周りにおよび淹出バスケットの外に流れる可能性がある。換言すれば、加熱水のうちのいくらかが、コーヒーフィルタに入ってコーヒー粉に浸透する代わりに、コーヒーフィルタと淹出バスケットとの間に流れ得、それは、淹出されるコーヒーの質に影響を与え得る。例えば、淹出されたコーヒーは、薄い可能性があり、および／または未熟成であり得る。
【発明の概要】
【０００５】
ある実施形態において、淹出バスケットが、飲料淹出マシンにおける使用のために提供される。淹出バスケットは、長手方向の長さに沿って開いた上部から１つ以上の開口部を有する下端部まで延出する淹出容器を画定する本体を含む。淹出容器は、内部に先細りになった複数側面３次元（３Ｄ）形状を有する。淹出容器は、開いた上部において第１の断面積を有し、その第１の断面積は、複数側面３Ｄ形状の長手方向の長さに沿って下端部における１つ以上の開口部に近接したより小さな第２の断面積にまで次第に狭くなる。開いた上部は、淹出動作の間に淹出マシンからの加熱水を受け取るように構成され、淹出される飲料が、１つ以上の開口部から排出する。淹出容器の複数側面３Ｄ形状は、淹出容器の複数側面３Ｄ形状に類似した概ね先細りの複数側面３Ｄ形状を有するフィルタパックを受け入れるように構成される。
【０００６】
ある実施形態において、フィルタパックが、淹出容器を含む淹出バスケットを有する飲料淹出マシンにおける使用のために提供される。フィルタパックは、コーヒー粉を含有する通液可能なパウチを含む。パウチは、コーヒー粉を封入する概ね先細りの複数側面３次元（３Ｄ）形状を形成するように接合された複数の側面および複数の頂点を有する。パウチは、淹出バスケットの淹出容器内に保有されるように構成される。パウチの複数側面３Ｄ形状およびサイズは、淹出容器の複数側面３Ｄ形状およびサイズと実質的に類似する共に相補的である。パウチの側面および頂点は、少なくとも２つの倒置位置のうちのいずれかに配向されるときに淹出容器内に適合する多角形を形成する。頂点のうちの異なる関連する１つが、関連する倒置位置のそれぞれにあるときに淹出バスケットの下端部に近接して位置する。パウチは、淹出動作の間に側面のうちの最も高い１つにおいて淹出マシンからの加熱水を受け取るように構成され、淹出された飲料が、倒置頂点から排出する。
【０００７】
ある実施形態において、淹出バスケットが、飲料淹出マシンにおける使用のために提供される。淹出バスケットは、開いた上部と、１つ以上の開口部を有する下端部と、を有する淹出容器を画定する本体を含む。淹出容器は、開いた上部から下端部における１つ以上の開口部まで延出する長手方向の高さを有する。淹出容器は、開いた上部においてある幅を有する。開いた上部は、淹出動作の間に淹出マシンからの加熱水を受け取るように構成され、下端部は、淹出された飲料を１つ以上の開口部から排出するように構成される。加熱水が、下端部における１つ以上の開口部から排出する前に加熱水の単位当たり少なくとも選択量の固体を蓄積するまで、コーヒー粉を通って流れるように、淹出容器が、その幅と少なくとも同程度に大きい長手方向の高さで形作られる。
【０００８】
ある実施形態において、淹出バスケットが、飲料淹出マシンにおける使用のために提供される。淹出バスケットは、開いた上部と、１つ以上の開口部を有する下端部と、を有する淹出容器を画定する本体を含む。開いた上部は、淹出動作の間に淹出マシンからの加熱水を受け取るように構成される。下端部は、１つ以上の開口部から淹出された飲料を排出するように構成される。淹出容器は、下端部に近接して粉保持区分を有する。粉保持区分は、封入されるフィルタパック内にコーヒー粉を保有するように構成されたある容積を有する。フィルタパックに封入されたコーヒー粉は、所定の総可用固体を含有する。加熱水が、下端部における１つ以上の開口部から排出する前に、コーヒー粉内で可用な所定の総可用固体のうちの少なくとも１４％を蓄積するまでコーヒー粉を通って流れるように、淹出容器が構成される。
【０００９】
ある実施形態において、フィルタパックが、淹出容器を含む淹出バスケットを有する飲料淹出マシンにおける使用のために提供される。フィルタパックは、コーヒー粉を含有する通液可能なパウチを含む。パウチは、コーヒー粉を封入する概ね先細りの複数側面３次元（３Ｄ）形状を形成するように接合された複数の側面および複数の頂点を有する。パウチは、淹出バスケットの淹出容器内に保有されるように構成され、パウチの複数側面３Ｄ形状およびサイズが、淹出容器の複数側面３Ｄ形状およびサイズと実質的に類似すると共に相補的である。フィルタパックが、その頂点が淹出容器の下端部あるように配向されるときにコーヒー粉が漏斗形状区分のうちのいずれか１つを埋めるように、パウチの複数側面３Ｄ形状は、頂点のそれぞれに近接して漏斗形状区分を有する。パウチは、淹出動作の間に側面のうちの最も高い１つにおいて淹出マシンからの加熱水を受け取るように構成され、淹出された飲料が、淹出マシンの下端部において関連する頂点から排出する。
【００１０】
ある実施形態において、淹出バスケットおよびフィルタパックのアセンブリが、飲料淹出マシンにおける使用のために提供される。アセンブリは、長手方向の長さに沿って開いた上部から１つ以上の開口部を有する下端部まで延出する淹出容器を画定する本体を有する淹出バスケットを含む。淹出容器は、内部に先細りになった複数側面３次元（３Ｄ）形状を有する。淹出容器は、開いた上部において第１の断面積を有し、その第１の断面積は、複数側面３Ｄ形状の長手方向の長さに沿って下端部における１つ以上の開口部に近接したより小さな第２の断面積にまで次第に狭くなる。開いた上部は、淹出動作の間に淹出マシンからの加熱水を受け取るように構成され、淹出された飲料が、１つ以上の開口部から排出する。アセンブリは、コーヒー粉を含有する通液可能なパウチを有するフィルタパックを含む。パウチは、コーヒー粉を封入する概ね先細りの複数側面３次元（３Ｄ）形状を形成するように接合された複数の側面および複数の頂点を有する。パウチは、淹出バスケットの淹出容器内に保有されるように構成される。フィルタパックの複数側面３Ｄ形状およびサイズは、淹出容器の複数側面３Ｄ形状およびサイズと実質的に類似すると共に相補的である。
【図面の簡単な説明】
【００１１】
【図１】図１は、電気式コーヒー淹出マシンのある実施形態の斜視図である。
【００１２】
【図２】図２は、淹出バスケットのある実施形態の斜視図である。
【００１３】
【図３】図３は、図２に示される淹出バスケットの平面図である。
【００１４】
【図４】図４は、図２および３に示される淹出バスケットの正面図である。
【００１５】
【図５】図５は、図２〜４に示される淹出バスケットの別の斜視図であり、図２とは異なる方向から淹出バスケットを例示する。
【００１６】
【図６】図６は、図２〜５に示される淹出バスケットを用いる使用のためのフィルタパックのある実施形態の斜視図である。
【００１７】
【図７】図７は、図６に示されるフィルタパックの正面図である。
【００１８】
【図８−９】図８および９は、図６および７に示されるフィルタパックの他の斜視図であり、図６とは異なる方向からフィルタパックを例示する。
【００１９】
【図１０】図１０は、図２〜５に示される淹出バスケットおよび図６〜９に示されるフィルタパックのアセンブリの平面図であり、淹出動作が開始される前のアセンブリを例示する。
【００２０】
【図１１】図１１は、図１０の１１−１１線に沿って取られた図１０に示されるアセンブリの断面図である。
【００２１】
【図１２】図１２は、図１０の１２−１２線に沿って取られた図１０に示されるアセンブリの別の断面図である。
【００２２】
【図１３】図１３は、図１０〜１２に示されるアセンブリの平面図であり、淹出動作が開始された後のアセンブリを例示する。
【００２３】
【図１４】図１４は、図１３の１４−１４線に沿って取られた図１３に示されるアセンブリの断面図である。
【００２４】
【図１５】図１５は、図１３の１４−１４線に沿って取られた図１３に示されるアセンブリの別の断面図である。
【００２５】
【図１６】図１６は、図１０〜１５に示される淹出バスケットおよびフィルタパックのアセンブリを使用してコーヒーを淹出する実験結果を例示する表である。
【００２６】
【図１７】図１７は、図１０〜１５に示される淹出バスケットおよびフィルタパックのアセンブリを使用してコーヒーを淹出するより多くの実験結果を例示する表である。
【００２７】
【図１８】図１８は、淹出バスケットの別の実施形態およびフィルタパックの別の実施形態のアセンブリの斜視図である。
【００２８】
【図１９】図１９は、淹出バスケットの別の実施形態およびフィルタパックの別の実施形態のアセンブリの斜視図である。
【００２９】
【図２０】図２０は、淹出バスケットの別の実施形態およびフィルタパックの別の実施形態のアセンブリの斜視図である。
【００３０】
【図２１】図２１は、淹出バスケットの別の実施形態の断面図である。
【００３１】
【図２２】図２２は、図６〜９に示されるフィルタパックの代わりに図２〜５に示される淹出バスケットを用いる使用のためのフィルタのある実施形態の斜視図である。
【発明を実施するための形態】
【００３２】
図１は、ドリップ型の電気式コーヒー淹出マシン１０のある実施形態の斜視図である。マシン１０は、外部筐体１２、冷水容器１４、およびバスケット受け入れ凹部１６を含む。マシン１０はまた、淹出バスケット１８、コーヒー受け取り用の器２２（例えば、コーヒーポット、コーヒーカップ、および／または同様のもの）を支持するための受け取り用の器の台２０、ならびに電力コード２４を含む。外部筐体１２は、筐体１２が、本明細書に記載されるおよび／または例示されるように機能することを可能にする任意の適切な材料（複数可）、例えば、限定されるものではないが、プラスチック、金属、および／または同様のものなどを含み得る。幾つかの点で、電気式コーヒー淹出マシン１０は、従来のドリップ型の電気式コーヒー淹出マシンに類似する。コーヒーを作るために、冷水容器１４に対する蓋２６が上げられ、冷水（図示されない）が容器１４の中に排出する。コーヒー粉（図１に示されない。例えば、図１１、１２、１４、および１５に示されるコーヒー粉１１０）を含有するフィルタパック（図１に示されない。例えば、図６〜１５に示されるフィルタパック６６等）は、淹出バスケット１８内に置かれる。冷水は、マシン１０内に内蔵された電気加熱素子（図示されない）によって加熱される。次いで、加熱水が淹出バスケット１８の中に流れ、その中に含有されたコーヒー粉に浸透する。次いで、淹出されたコーヒーが受け取り用の器２２の中にドリップ式に入れられ、その受け取り用の器は、淹出バスケット１８の真下に受け取り用の器の台２０上に位置付けられる。
【００３３】
本明細書において使用される際、「コーヒー粉」は、［可溶性［ｓｉｃ］］（すなわち、インスタント）コーヒー粉および不溶性（すなわち、非インスタント）コーヒー粉を含む。換言すれば、本明細書に記載されたおよび／または例示された淹出バスケット、フィルタパック、およびフィルタは、［可溶性［ｓｉｃ］］コーヒー粉および／または不溶性コーヒー粉の両方と共に選択的に使用され得る。不溶性コーヒー粉は、通常、「挽いたおよび焙煎したコーヒー」と称される。［可溶性［ｓｉｃ］］コーヒー粉は、様々な方法、例えば、限定されるものではないが、凍結乾燥、噴霧乾燥、および／または同様のものなどを使用して［可溶性［ｓｉｃ］］にさせられ得る。本明細書において使用される際、「淹出されたコーヒー」は、［可溶性［ｓｉｃ］］コーヒー粉および／または不溶性コーヒー粉を使用して淹出されたコーヒーを含む。換言すれば、本明細書に記載されたおよび／または例示された淹出バスケット、フィルタパック、および／またはフィルタと共に［可溶性［ｓｉｃ］］コーヒー粉を使用してコーヒーを作ることは、コーヒーを「淹出すること」として考慮される。いくつかの実施形態では、淹出マシン１０が、コーヒーを一切淹出せずに熱湯を作るために使用される。例えば、本明細書に記載されたおよび／または例示された淹出バスケットは、コーヒーを一切淹出せずに、加熱水をコーヒー受け取り用の器２２の中に入れるために、（例えば、フィルタパック内に含有された、包まれていない、および／または同様の）コーヒー粉を含まずに本明細書に記載されたおよび／または例示された淹出マシン内で使用されてもよい。
【００３４】
例示された実施形態では、淹出マシン１０は、淹出バスケット１８がマシン１０の前面２１からバスケット受け入れ凹部１６に装入される、「前面装入」マシンとして通常称される様式を表現する。しかしながら、代わりに、淹出マシン１０は、任意の他の種類、例えば、限定されるものではないが、淹出バスケット１８がマシン１０の上部２３からバスケット受け入れ凹部１６に装入される「上部装入」マシンなどを表現してもよい。他の実施形態において、淹出マシン１０は、淹出バスケット１８がマシン１０の側面２５および／または側面２７からバスケット受け入れ凹部１６に装入される「側面装入」マシンを表現してもよい。更に他の実施形態では、淹出マシン１０は、淹出バスケット１８がマシン１０の背面２９からバスケット受け入れ凹部１６に装入される「背面装入」マシン、または淹出バスケット１８がマシン１０の下部３１からバスケット受け入れ凹部１６に装入される「下部装入」マシンを表現してもよい。コーヒー受け取り用の器２２は、本明細書において「飲料用の入れ物」として称され得る。
【００３５】
図２〜５は、淹出バスケット１８のある実施形態を例示する。淹出バスケット１８は、電気式コーヒー淹出マシン１０（図１）のバスケット受け入れ凹部１６（図１）内に適合するような形状および寸法にされる。淹出バスケット１８は、淹出動作の間にフィルタパック６６（図６〜１５）を保有するための淹出容器３０を画定する本体２８を含む。本体２８は、中心の長手方向の軸３２に沿って開いた上部３４（図５において見えない）から下端部３６までの高さだけ延出する内部に先細りになった複数側面３次元（３Ｄ）形状を含む。淹出容器３０はまた、中心の長手方向の軸３２に沿って開いた上部３４から下端部３６までの高さＨ（図２、３、および５においてラベル付けされない）だけ延出する内部に先細りになった複数側面３Ｄ形状を含む。開いた上部３４は、淹出容器３０の開いた上部を画定し、下端部３６は、淹出容器３０の下端部を画定する。例示された実施形態では、本体２８の高さの値が、淹出容器３０の高さＨにほぼ等しいが、他の実施形態では、淹出容器３０の高さＨの値は、本体２８の高さの値とは異なる。淹出容器３０の高さＨは、本明細書において淹出容器３０の「長手方向の長さ」および／または「長手方向の高さ」として考慮され得、称され得る。
【００３６】
開いた上部３４は、淹出容器３０に対して開いており（例えば、容器３０の開いた端部を画定し）、淹出マシン１０からの加熱水を受け入れるように構成される。加熱水は、淹出動作の間に開いた上部３４を通って淹出容器３０の中に流れる。下端部３６は、淹出されたコーヒーが、淹出バスケット１８の淹出容器３０からコーヒー受け取り用の器２２（図１）の中に流れることを許容するように、本体２８を通って延出する１つ以上の開口部３８を含む。図１１に最も良く見られるように、例示された実施形態では、淹出容器３０の高さＨが、中心の長手方向の軸３２に沿って開いた上部３４から下端部３６における開口部（複数可）３８まで延出する。開口部（複数可）３８は、通常、「ドリップ噴出口」と称され得る。
【００３７】
図２〜５を再び参照すると、淹出バスケット１８は、任意選択的に、開いた上部３４において（中心の長手方向の軸３２に対して）径方向に外側に延出する縁４０を含む。縁４０は、淹出バスケット１８を淹出マシン１０のバスケット受け入れ凹部１６（図１）内に支持することを容易にし得る。縁４０は、一般に、淹出バスケット１８を保有するために、バスケット受け入れ凹部１６内に淹出バスケット１８を挿入するために、および／またはバスケット受け入れ凹部１６から淹出バスケット１８を取り外すために、淹出バスケット１８を把持することを容易にし得る。あるいは、淹出バスケット１８は、縁４０を含まず、または縁４０は、異なるサイズ、形状、幾何形状、配向性、場所、位置、および／または同様のものを含む。
【００３８】
次に、図３のみを参照すると、淹出容器３０が、開いた上部３４においてある幅Ｗを有し、その幅は、開いた上部３４の最大幅寸法によって画定される。例示された実施形態では、開いた上部３４が、３つの側辺４２、４４、および４６によって境界される。開いた上部３４の例示された実施形態の幅Ｗは、側辺４２、４４、および４６のそれぞれの長さによって画定される。換言すれば、側辺４２、４４、および４６のそれぞれが、開いた上部３４の最大幅寸法の異なる場所を画定する。例示された実施形態では、開いた上部３４が、一般に、三角形状を有し、具体的には、正三角形の形状を有する。しかしながら、開いた上部３４は、１より大きな任意の他の数の側辺を有する任意の他の形状（すなわち、複数側面形状）、例えば、限定されるものではないが、他の三角形状、２つのみの側辺を有する形状、矩形形状、正方形状、八角形状、少なくとも４つの側辺を有する形状、少なくとも５つの側辺を有する形状、および／または同様のものなどを有してもよい。
【００３９】
淹出容器３０の下端部３６は、任意の数の開口部３８を含み得る。例示された実施形態では、淹出容器３０の下端部３６が、ただ１つの開口部３８を含む。図３に示されるように、開口部３８は、例示された実施形態では円形状を有する。それゆえ、開口部３８の例示された実施形態は、ただ１つの側辺４８によって境界される。しかしながら、開口部３８は、任意の他の数の側辺を有する任意の他の形状、例えば、限定されるものではないが、三角形状、楕円形状、矩形形状、正方形状、八角形状、少なくとも４つの側辺を有する形状、少なくとも５つの側辺を有する形状、および／または同様のものなどを有してもよい。開口部（複数可）３８のサイズ、形状、および／または数は、淹出容器３０の中への加熱水の入力速度と比べて開口部（複数可）３８からの液体の出力速度の所定の比率を提供するように選択され得る。
【００４０】
図２〜５を再び参照すると、淹出容器３０の複数側面３Ｄ形状は、淹出容器３０に、開いた上部３４の側辺４２、４４、および４６（図４および５において見えない）から下端部３６の開口部３８の側辺４８まで、本体２８の側壁５０、５２、および５４間に画定される容積を提供する。簡潔に上述したように、淹出容器３０の複数側面３Ｄ形状は、内部に先細りになっている。具体的には、淹出容器３０は、開いた上部３４における第１の断面積１１６（図２、４、および５においてラベル付けされない）を有し、その第１の断面積は、淹出容器３０の複数側面３Ｄ形状の高さＨに沿って、下端部３６における１つ以上の開口部３８に近接したより小さな第２の断面積１１８（図２、４、および５においてラベル付けされない）にまで次第に狭くなる。
【００４１】
任意選択的に、淹出容器３０の複数側面３Ｄ形状は、開いた上部３４から淹出容器３０の下端部３６における開口部３８まで連続的に先細りになっており、加熱水をフィルタパック６６に封入されたコーヒー粉１１０（図６〜１５）を通して下端部３６における開口部３８まで連続的に導く。具体的には、淹出容器３０の例示された実施形態は、３つの側壁５０、５２、および５４を含む。側壁５０、５２、および５４のそれぞれが、開いた上部３４から下端部３６までの長さだけ延出する。具体的には、各側壁５０、５２、および５４が、開いた上部３４のそれぞれの側辺４２、４４、および４６から下端部３６の開口部３８の側辺４８までの長さだけ延出する。例示された実施形態では、各側壁５０、５２、および５４が、開いた上部３４のそれぞれの側辺４２、４４、および４６から開口部３８の測端４８まで連続的に先細りになっている。換言すれば、図４に最も良く見られるように、側壁５０、５２、および５４の長さが開口部３８の方へ延出する際に、側壁５０、５２、および５４が中心の長手方向の軸３２の方へ延出するように、各側壁５０、５２、および５４の長さが、中心の長手方向の軸３２に対して連続的に角度が付いており、その角度の値は、側壁５０、５２、および／または５４の長さに沿って実質的に均一である（すなわち、一致する）か否かを問わない。
【００４２】
図４に最も良く見られるように、本体２８の（垂直面に対する）先細りまたはピッチの量は、任意選択的に、開いた上部３４から下端部３６の開口部３８まで実質的に均一である。具体的には、各側壁５０、５２、および５４の先細りの量が、それぞれの側辺４２、４４、および４６から開口部３８の測端４８まで実質的に均一であり得る。換言すれば、各側壁５０、５２、および５４は、それぞれの側辺４２、４４、および４６から開口部３８の測端４８まで側壁５０、５２、および５４の長さの全体に沿って中心の長手方向の軸３２に対して同じ角度またはピッチを有する。角度∞またはピッチは、ピッチが、所望量の淹出された飲料を結果としてもたらすコーヒー粉から抽出される全溶解固体（ＴＤＳ）に影響を及ぼす程度を含む、様々な考察に基づいて、様々な実施形態において変動され得る。例えば、側壁５２および５４に関して図４に示されるように、側壁５２および５４の長さは、中心の長手方向の軸３２に対してある角度∞で延出する。一例として、側壁５２または５４のそれぞれの長さの全体が、中心の長手方向の軸３２に対してほぼ同じ角度∞で延出する。例えば、中心の長手方向の軸３２に対してほぼ垂直に延出する側壁５２または５４の長さの区分はない。例えば、両方が開口部３８の側辺４８に交差すると共に中心の長手方向の軸３２に対してほぼ垂直に延出する側壁５２または５４の長さの区分はない。他の実施形態において、本体２８における先細りの量は、開いた上部３４から下端部３６の開口部３８まで均一ではない。例えば、本体２８は、開いた上部３４から下端部３６の開口部３８までの高さに沿う段付き構造を有してもよい。その上、例えば、本体２８の側壁５０、５２、および／または５４は、開いた上部３４と開口部３８との間で本体２８の高さに沿って延出する２以上の区分を含み得、互いと比べて中心の長手方向の軸３２に対して異なる角度を有し得る。ＴＤＳは、時には、「淹出された固体」として称され得る。
【００４３】
任意選択的に、本体２８は、単一体構造（すなわち、一体式構造）を用いて、例えば、限定されるものではないが、射出成形、押し出し、および／または同様のものなどから形成されてもよい。任意選択的に、本体２８は、複数部品が拡張されるときに互いと水の密封を形成する、折り畳み可能かつ拡張可能な複数部品構造を有してもよい。本体２８が単一体構造で形成される実施形態では、単一体構造は、剛体であってもよいし、または折り畳み可能かつ拡張可能であってもよい。
【００４４】
開いた上部３４から下端部３６の開口部３８までの淹出バスケット１８の本体２８の連続的な先細りは、淹出されたコーヒーが淹出容器３０からコーヒー受け取り用の器２２の中に流れるように、フィルタパック６６に封入されたコーヒー粉１１０を通して加熱水を連続的に導き、開口部３８を通して出す漏斗を画定する。例えば、抽出を容易にするために、淹出容器３０の下端部３６は、加熱水を開口部３８から出る前にフィルタパック６６内のコーヒー粉１１０を通して導くように、開口部３８に近接して漏斗形状区分５６を含む。以下に記載されるように、抽出を容易にするために、フィルタパック６６の漏斗形状区分（例えば、漏斗形状区分１２０、１２２、１２４、または１２６のうちのいずれか１つ）が、淹出容器３０の漏斗形状区分５６を実質的に埋めるように、淹出容器３０が、その中にフィルタパック６６を受け入れるように構成される。淹出容器３０の漏斗形状区分５６は、下端部３６に近接して延出する淹出容器３０の粉保持区分を画定する。漏斗形状区分５６は、フィルタパック６６に封入されたコーヒー粉１１０を保有するように構成された容積を有する。淹出容器３０は、開いた上部３４に近接して頭部区分１２８を有する。以下に記載されるように、頭部区分１２８は、コーヒー粉１１０とフィルタパック６６の閉じた上部９０との間に延出するフィルタパック６６の頭部空間（例えば、頭部空間１３０、１３２、１３４、および１３６のうちのいずれか１つ）を保有するように構成される。
【００４５】
淹出容器３０の内部に先細りになった複数側面３Ｄ形状の動作および利点は、以下により詳細に記載される。淹出容器３０の複数側面３Ｄ形状は、任意の量の先細りによって連続的に先細りになり得る。例えば、側壁５０、５２、および５４の長さは、中心の長手方向の軸３２に対して任意の角度∞を有し得る。その上、本体２８が任意の高さＨを有し得、開いた上部３４が任意の幅Ｗを有し得、淹出容器３０が任意の容積を有し得、漏斗形状区分５６が任意の容積を有し得、頭部区分１２８が任意の容積を有し得る。
【００４６】
先細りの量（例えば、側壁５０、５２、および／もしくは５４の角度∞またはピッチ）、淹出容器３０の高さＨ、幅Ｗ、容積、漏斗形状区分５６の容積、頭部区分１２８の容積、淹出容器３０の複数側面３Ｄ形状の他のパラメータ、ならびに／あるいはそれらの間のあらゆる関係の選択は、淹出容器３０の複数側面３Ｄ漏斗形状の動作に基づき得、ならびに／あるいは（１）例えば以下に記載されるように、淹出容器３０を通って移動する加熱水の乱流を増加させるように、（２）例えば以下に記載されるように、フィルタパック６６と淹出バスケット１８の本体２８との間に封止を生成するように、（３）例えば以下に記載されるように、コーヒー粉１１０に浸透せずにフィルタパック６６の周りにおよび開口部３８を通って流れる加熱水の量を防止するか低減するように、（４）例えば以下に記載されるように、コーヒー粉１１０に浸透させる加熱水の量を増加させるように、ならびに／あるいは（５）淹出されたコーヒーの質に影響を及ぼすように、選択され得る。例えば、コーヒーの質に影響を及ぼすことは、淹出されたコーヒーの濃さ（例えば、淹出されたコーヒー内の加熱水の単位当たりでの全溶解固体（ＴＤＳ）の量）を増加させることを含み得、および／または淹出されたコーヒーの抽出収率（すなわち、フィルタパック６６から淹出されたコーヒーに移動した［可溶性［ｓｉｃ］］コーヒー粉の量）を増加させることを含み得る。
【００４７】
開いた上部３４の幅Ｗと比較した淹出容器３０の高さＨの比率は、（１）淹出容器３０を通って移動する加熱水の乱流を増加させるように、（２）フィルタパック６６と淹出バスケット１８の本体２８との間に封止を生成するように、（３）コーヒー粉１１０に浸透せずにフィルタパック６６の周りにおよび開口部３８を通って流れる加熱水の量を防止するか低減するように、（４）コーヒー粉１１０に浸透させる加熱水の量を増加させるように、ならびに／あるいは（５）淹出されたコーヒーの質に影響を及ぼすように、選択され得る。淹出容器３０の高さＨは、開いた上部３４の幅Ｗと比較して任意の値を有し得る。例えば、いくつかの実施形態では、加熱水が、下端部３６における開口部３８を通して排出する前に加熱水の単位当たり選択量の固体を蓄積するまでコーヒー粉１１０を通って流れるように、淹出容器３０の複数側面３Ｄ形状が、開いた上部３４の幅Ｗに対する淹出容器３０の高さＨの約１〜１までの比率を有する。他の実施形態では、例えば、淹出容器３０の高さＨが、開いた上部３４の幅Ｗよりも大きい。一例として、開いた上部３４の幅Ｗに対する淹出容器３０の高さＨの比率は、４単位の高さＨの場合、開いた上部３４が、３を超えない単位の幅Ｗを有するように、４〜３であり得る。別の例として、開いた上部３４の幅Ｗに対する淹出容器３０の高さＨの比率は、２単位の高さＨの場合、開いた上部３４が、１を超えない単位の幅Ｗを有するように、２〜１であり得る。
【００４８】
漏斗形状区分５６の容積と比較した淹出容器３０の高さＨの比率は、（１）淹出容器３０を通って移動する加熱水の乱流を増加させるように、（２）フィルタパック６６と淹出バスケット１８の本体２８との間に封止を生成するように、（３）コーヒー粉１１０に浸透せずにフィルタパック６６の周りにおよび開口部３８を通って流れる加熱水の量を防止するか低減するように、（４）コーヒー粉１１０に浸透させる加熱水の量を増加させるように、ならびに／あるいは（５）淹出されたコーヒーの質に影響を及ぼすように、選択され得る。淹出容器３０の高さＨは、漏斗形状区分５６の容積と比較して任意の値を有し得る。例えば、いくつかの実施形態では、加熱水が、下端部３６における開口部３８を通して排出する前に加熱水の単位当たり選択量の固体を蓄積するまで、コーヒー粉１１０を通って流れるように、淹出容器３０の複数側面３Ｄ形状が、少なくとも１／５（すなわち、２０％）の漏斗形状区分５６の容積に対する淹出容器３０の高さＨの比率を有する。漏斗形状区分５６の容積に対する淹出容器３０の高さＨの比率の他の非限定例は、限定されるものではないが、約１／５（すなわち、２０％）と約３／１（すなわち、３００％）との間、少なくとも約２／１（すなわち、２００％）、または少なくとも約３／１（すなわち、３００％）を含む。
【００４９】
例示された実施形態では、淹出容器３０の複数側面３Ｄ形状が、側面が開いた四面体形状、より具体的には、三角錐を成す。具体的には、側壁５０、５２、および５４、ならびに開いた上部３４は、三角錐の形状を画定し、側壁５０、５２、および５４、ならびに開いた上部３４のそれぞれが、三角錐の異なる側面を画定する。換言すれば、淹出容器３０は、３つの閉じた側面（すなわち、側壁５０、５２、および５４）と開いた側面（すなわち、開いた上部３４）とを備える三角錐の形状を有する。下端部３６の開口部３８は、三角錐形状の頂点のうちの１つを画定する。側辺４２と４４との間、側辺４４と４６との間、および側辺４６と４２との間の交点が、三角錐形状のそれぞれの頂点５８、６０、および６２を画定する。三角錐形状に固有であるおよび図３に最も良く見られるように、本体２８の複数側面３Ｄ形状は、中心の長手方向の軸３２にほぼ垂直に延出する平面６４（図４により良く見られる）に沿って取られた三角断面形状を含む。本体２８の縁４０が、三角錐形状の開いた上部３４の側辺４２、４４、および４６から（中心の長手方向の軸３２に対して）径方向に外側に延出する。三角錐形状はまた、時には、「正四面体」として称される。
【００５０】
淹出容器３０の複数側面３Ｄ形状は、淹出バスケット１８の例示された実施形態の三角錐形状に限定されるものではないが、むしろ、更にまたはあるいは、任意の他の形状を含んでもよい。換言すれば、三角錐形状に加えてまたは代えて、淹出容器３０の複数側面３Ｄ形状は、１より大きな任意の数の側壁によって画定された任意の他の形状、例えば、限定されるものではないが、２つの側辺によって画定された断面形状（すなわち、２つの側壁によって画定された形状）、異なる三角断面形状、異なる四面体形状、矩形断面形状（すなわち、４つの側壁によって画定された形状）、正方形断面形状（すなわち、４つの等辺側壁によって画定された形状）、八角形断面形状（すなわち、５つの側壁によって画定された形状）、少なくとも４つの側壁によって画定された形状、少なくとも５つの側壁によって画定された形状、および／または同様のものなどを含み得る。淹出バスケット本体２８および淹出容器３０の他の３Ｄ漏斗形状の様々な非限定例は、図１７および１８を参照して以下に記載される。
【００５１】
淹出バスケット１８の淹出容器３０は、単一の淹出動作の間に、ほぼ一杯分のみのコーヒーを作るのに適切な寸法にされたサイズ（すなわち、容積）を有し得る。あるいは、淹出容器３０が、単一の淹出動作の間に二杯以上のコーヒーを作るのに適切な寸法にされたサイズを有する。淹出容器３０のサイズは、淹出動作の間に任意の数の分量のコーヒーを作るための寸法にされ得る。
【００５２】
淹出バスケット１８は、任意選択的に使い捨てである。「使い捨て」とは、各淹出動作が、一杯分のコーヒーまたは二杯分以上のコーヒーを淹出するか否かを問わず、淹出バスケット１８が、廃棄される前の限定された数の淹出動作のみのためのものであることを意味する。換言すれば、淹出バスケット１８は、限定された数の淹出動作のために使用された後に淹出バスケット１８が廃棄されるときに「使い捨て」である。いくつかの実施形態では、使い捨て淹出バスケット１８が、単一の淹出動作が一杯分のコーヒーまたは二杯分以上のコーヒーを淹出するか否かを問わず、廃棄される前に単一の淹出動作のためにのみ使用される。使い捨ての淹出バスケット１８がそのために使用される、淹出動作の限定された数は、淹出マシン１０の通常の予期された寿命よりも少ない任意の期間、例えば、限定されるものではないが、１日、１週間、１ヶ月、および／または同様の期間などにわたって実行される淹出動作の任意の数であり得る。いくつかの実施形態では、使い捨ての淹出バスケット１８がそのために使用される、淹出動作の限定された数は、ホテル、モーテル、および／または他の宿泊施設における宿泊客（あるいは、同じ淹出マシン１０を使用する宿泊客のグループ）の滞在期間と合致する。換言すれば、使い捨ての淹出バスケット１８は、宿泊客の滞在が終了するときに廃棄される前に、ホテル、モーテル、および／または他の宿泊施設（例えば、友人もしくは知人の家、および／または同様の場所）における宿泊客の滞在の間に１つ以上の淹出動作のために宿泊客によって使用され得る。他の実施形態において、淹出バスケット１８は、使い捨てでないが、むしろ、限定された数以上の淹出動作のために使用され、例えば、使い捨てでない淹出バスケット１８が、淹出マシン１０の寿命から使用され得る。「使い捨て」の淹出バスケット１８は、食洗器で洗えるものであってもよいし、またはそうでなくてもよい。「使い捨て」の淹出バスケット１８は、再利用可能、堆肥化可能、および／または生物分解可能であってもよいし、またはそうでなくてもよい。
【００５３】
淹出バスケット１８の本体２８の様々な構成要素（例えば、側壁５０、５２、および５４、ならびに縁４０）は、一体式構造のものであってもよいし、またはそうでなくてもよい。すなわち、本体２８の様々な構成要素は、単一体（すなわち、１つの部品）の構造として形成されてもよい。あるいは、本体２８は、互いに固定された複数の構造（すなわち、２以上の構造）から形成されてもよい（すなわち、本体２８が、「複数の部品」の構造を有してもよい）。例えば、複数の構造は、共に溶融されてもよいし、共に溶接されてもよいし、任意の適切な接着剤を使用して共に接合されてもよいし、ならびに／あるいは淹出バスケット１８が本明細書に記載されたおよび／または例示されたように機能することを可能にする別の適切な方法および／または手段を使用して互いに固定されてもよい。本体２８は、一般に、剛体構造を有してもよいし、またはそうでなくてもよい。任意選択的に、本体２８は、折り畳み可能である。
【００５４】
淹出バスケット１８は、任意の適切な材料（複数可）から製造され得、その材料は、淹出バスケット１８を使い捨てとして提供するように、および／または淹出バスケット１８に概ね剛体構造を提供するように選択されてもよいし、あるいはそうでなくてもよい。淹出バスケット１８の製造に適した材料の一例は、真空成形された耐衝撃性ポリスチレンであり、それは、比較的安価であり得、一般に製造において扱うのが容易であり得、および／または最小限の厚さの材料を用いて十分に強い製品を生産し得る。しかしながら、類似のおよび／または異なる質を有する他の材料が、本明細書に記載されたおよび／または例示された実施形態の範囲から逸脱することなく使用され得る。例えば、淹出バスケット１８は、例えば、１枚の金属（複数可）から淹出バスケット１８を型押しすることによって、または一以上の金属の薄片（本明細書において「金属薄片」として称される）を、１つ以上の他の材料、例えば、限定されるものではないが、紙、プラスチック、天然素材、および／または同様のものなどを用いて積層することによって、１つ以上の金属から少なくとも部分的に製造され得る。淹出バスケット１８は、一枚の金属（複数可）から単一のパーツとして型押しされてもよい。あるいは、本体２８の２以上の構成要素が、一枚以上の金属（複数可）から別個に型押しされ、その後、淹出バスケット１８を形成するように共に接合される。一枚の金属（複数可）は、淹出バスケット１８に所定の剛性を提供するように選択された厚さを有し得る。選択された厚さは、選択された特定の金属（複数可）の特性に依存し得る。
【００５５】
同様に、金属薄片を用いて積層された材料（複数可）の厚さは、所定の剛性を淹出バスケット１８に提供するように薄片を支持するよう選択され得る。金属薄片および他の材料（複数可）は、任意の適切な構成および／または配置で共に積層され得る。例えば、他の材料（複数可）は、本体２８の中核構造を形成し得、金属薄片は、他の材料（複数可）が多孔質であるか否かを問わず、淹出バスケット１８に淹出容器３０内に非多孔質表面を提供するように本体２８の内部側面上に積層され得る。淹出容器３０内の非多孔質表面は、水および／または淹出されたコーヒーが代わりに淹出容器３０から開口部２８を通して受け取り用の器２２の中に流れるように、水および／または淹出されたコーヒーが、本体２８の側壁５０、５２、および／または５４を通って流れることを阻止し得る。本体２８の内部側面に積層されることに加えてまたは代えて、金属薄片は、それに対して構造、支持体、および／または非多孔性を提供するように本体２８の外部側面上に積層され得る。
【００５６】
淹出バスケット１８を製造するのに適切な金属の一例は、アルミニウムであるが、淹出バスケット１８は、アルミニウムから製造されることに限定されない。アルミニウムは、いくつかの他の金属に関連するその費用および／または重量が原因で、淹出バスケット１８の材料として選択され得る。しかしながら、淹出バスケット１８が本明細書に記載されたおよび／または例示されたように機能することを可能にする任意の適切な金属あるいは金属の組み合わせが、例えば、それらの特性、組成、費用、および／または利便性に基づいて、淹出バスケット１８を製造するために使用され得る。
【００５７】
淹出バスケット１８を製造するために使用され得る材料の別の非限定例は、淹出バスケット１８に淹出容器３０および／または本体２８の１つ以上の他の区分内に非多孔質表面を提供するのを容易にする、１つ以上の材料を用いて少なくとも部分的に含浸させるおよび／またはコーティングされる紙を含む。紙は、淹出バスケット１８が、本明細書に記載されたおよび／または例示されたように機能することを可能にする任意の適切な種類の紙であり得る。紙の種類およびその厚さは、所定の剛性を淹出バスケット１８に提供するようにそれぞれ選択され得る。紙内に含浸させるおよび／または紙をコーティングする材料（複数可）は、淹出バスケット１８が、本明細書に記載されたおよび／または例示されたように機能することを可能にすると共に、非多孔性を淹出バスケット１８の本体２８の全てまたは一部分に提供することを容易にする、任意の適切な材料（複数可）、例えば、限定されるものではないが、プラスチック、ワックス、および／または同様のものなどであり得る。紙内に含浸させるおよび／または紙をコーティングする材料は、淹出バスケット１８に所定の剛性を提供することを容易にする構成および／または支持体を紙に提供し得る。
【００５８】
淹出バスケット１８を製造するために使用され得る材料の別の非限定例は、１つ以上のプラスチックおよび／または他のポリマを含む。例えば、淹出バスケット１８は、１つ以上の熱可塑性プラスチック、例えば、限定されるものではないが、アクリロニトリルブタジエンスチレン（ＡＢＳ）、アクリル系、セルロイド、エチレンビニルアルコール（ＥＶＡＬ）、フッ素プラスチック、イオノマー、液晶ポリマ（ＬＣＰ）、ポリアセタール（ＰＯＭ）、ポリアクリレート、ポリアミド（ＰＡ）、ポリアミドイミド（ＰＡＩ）、ポリアリールエーテルケトン（ＰＡＥＫ）、ポリブチレンテレフタレート（ＰＢＴ）、ポリエチレンテレフタレート（ＰＥＴ）、ポリカーボネート（ＰＣ）、ポリケトン（ＰＫ）、ポリエステル、ポリエチレン、ポリエーテルエーテルケトン（ＰＥＥＫ）、ポリエーテルイミド（ＰＥＩ）、ポリイミド（ＰＩ）、ポリ乳酸（ＰＬＡ）、ポリプロピレン（ＰＰ）、ポリスチレン（ＰＳ）、ポリスルホン（ＰＳＵ）、および／またはポリ塩化ビニル（ＰＶＣ）などから形成されてもよい。淹出バスケット１８を製造するために使用され得るプラスチックおよび／または他のポリマの別の例は、１つ以上の膨張および／または押し出しポリマを含む。例えば、時には、発泡プラスチックと称される、１つ以上の膨張プラスチック、例えば、限定されるものではないが、膨張ポリスチレンおよび／または同様のものなどが、淹出バスケット１８を製造するために使用され得る。押し出しプラスチック、例えば、限定されるものではないが、押し出しポリスチレンなどが、淹出バスケット１８を製造するために使用され得るポリマの他の非限定例である。淹出バスケット１８を作製するために使用され得るプラスチックまたは他のポリマの更に他の非限定例は、熱硬化性樹脂、例えば、限定されるものではないが、フェノールホルムアルデヒド樹脂、デュロプラスト（ｄｕｒｏｐｌａｓｔ）、ポリエステル樹脂、エポキシ樹脂、および／または同様のものなどを含む。
【００５９】
形成されるプラスチック（複数可）および／または他のポリマ（複数可）は、所定の剛性を淹出バスケット１８に提供するように選択された厚さを有し得る。かかる選択された厚さは、選択された特定のプラスチック（複数可）および／またはポリマ（複数可）の特性に依存し得る。淹出バスケット１８が本明細書に記載されたおよび／または例示されたように機能することを可能にする任意の適切なプラスチック（複数可）、ポリマ（複数可）、熱可塑性プラスチック（複数可）、熱硬化性樹脂（複数可）、押し出しポリマ（複数可）、および／または膨張ポリマ（複数可）は、例えば、それらの特性、組成、費用、および／または利便性に基づいて、淹出バスケット１８を製造するために使用され得る。
【００６０】
淹出バスケット１８を製造するために使用され得る材料の更に別の非限定例は、１つ以上の天然素材、例えば、限定されるものではないが、パルプ、米の外皮、小麦の殻、サトウキビパルプ、木材、セルロース、および／または同様のものなどを含む。天然素材（複数可）は、所定の剛性を淹出バスケット１８に提供するように選択された厚さを有し得る。かかる選択された厚さは、選択された特定のプラスチック（複数可）および／またはポリマ（複数可）の特性に依存し得る。淹出バスケット１８が本明細書に記載されたおよび／または例示されたように機能することを可能にする任意の適切な天然素材（複数可）は、例えば、それらの特性、組成、費用、および／または利便性に基づいて、淹出バスケット１８を製造するために使用され得る。任意選択的に、天然素材（複数可）は、淹出バスケット１８に、淹出容器３０および／または本体２８の１つ以上の他の区分内に非多孔質表面を提供することを容易にする１つ以上の材料を用いて少なくとも部分的に含浸されるおよび／またはコーティングされる。天然素材（複数可）内に含浸されるおよび／または天然素材（複数可）をコーティングする材料（複数可）は、淹出バスケット１８が本明細書に記載されたおよび／または例示されたように機能することを可能にすると共に、淹出バスケット１８の本体２８の全てまたは一部分に非多孔性を提供することを容易にする任意の適切な材料（複数可）、例えば、限定されるものではないが、プラスチック、ワックス、および／または同様のものなどであり得る。天然素材（複数可）内に含浸されるおよび／または天然素材（複数可）をコーティングする材料は、淹出バスケット１８に所定の剛性を提供することを容易にする構造および／または支持体を紙に提供し得る。
【００６１】
図６〜９は、淹出バスケット１８（図１〜５および１０〜１５）を用いる使用のためのフィルタパック６６のある実施形態を例示する。フィルタパック６６は、コーヒー粉１１０を含有するおよび封入する通液可能なパウチ６８を含む。具体的には、パウチ６８は、内部空洞１０８を含み、コーヒー粉がその空洞内に含有される。フィルタパック６６のパウチ６８は、淹出動作の間に淹出マシン１０（図１）からの加熱水を受け取るために淹出バスケット１８の淹出容器３０（図１〜５および１０〜１５）内に保有されるように構成される。淹出動作の間に、加熱水は、フィルタパック６６内に含有されたコーヒー粉１１０に浸透し、それによって、コーヒーを淹出する。
【００６２】
フィルタパック６６のパウチ６８は、淹出バスケット１８の淹出容器３０（図１〜５および１０〜１５）の３Ｄ形状およびサイズと実質的に類似すると共に相補的である概ね先細りの複数側面３Ｄ形状およびサイズを含む。具体的には、パウチが、コーヒー粉１１０を封入する概ね先細りの複数側面３Ｄ形状を形成するように共に接合される複数の側面および複数の頂点を有する。例示された実施形態では、フィルタパック６６のパウチ６８の複数側面３Ｄ形状が、四面体形状、より具体的には、三角錐を成す。具体的には、フィルタパック６６のパウチ６８は、互いとほぼ同じサイズを有する正三角形として形作られた４つの側面７２、７４、７６、および７８を含む。側面７２、７４、７６、および７８は、例示された三角錐形状に配置され、その三角錐形状は、側面７２、７４、７６、および７８が交差する４つの頂点８０、８２、８４、および８６を含む。頂点８０は、図７において見えない。例示された実施形態では、フィルタパック６６のパウチ６８が、幅Ｗ１（図６、７、または９においてラベル付けされない）だけ延出する継ぎ目１１４を含む。継ぎ目１１４は、任意の幅Ｗ１、例えば、限定されるものではないが、約６ミリメートル（ｍｍ）と約１０ｍｍとの間、約７．５ｍｍ、約８．０ｍｍ、および／または同様の幅などを有し得る。他の実施形態において、パウチ６８は、継ぎ目１１４無しで形成されてもよい。
【００６３】
パウチ６８の複数側面３Ｄ形状が、各側面７２、７４、７６、および７８から、それぞれ、対向する関連する頂点８０、８２、８４、および８６までの長さだけ延出する。図７は、側面７８から対向する頂点８６まで測定される際のフィルタパック６６の長さＬのうちの１つを例示する。上記したように、フィルタパック６６のパウチ６８の複数側面３Ｄ形状は、概ね先細りになっている。具体的には、パウチ６８の複数側面３Ｄ形状は、各側面７２、７４、７６、および７８から、それぞれ、関連する対向頂点８０、８２、８４、および８６まで先細りになっている。任意選択的に、パウチ６８の複数側面３Ｄ形状は、各側面７２、７４、７６、および７８から、それぞれ、関連する対向頂点８０、８２、８４、および８６まで連続的に先細りになっている。換言すれば、パウチ６８の複数側面３Ｄ形状は、任意選択的に、閉じた上部から倒置頂点８０、８２、８４、または８６まで連続的に先細りになっている。任意選択的に、パウチ６８の先細りの量は、各側面７２、７４、７６、および７８から、それぞれ、関連する対向頂点８０、８２、８４、および８６まで実質的に均一である。
【００６４】
頂点８０、８２、８４、または８６のうちの１つが、淹出容器３０内に倒置されるように、かつパウチ６８の閉じた上部が、開いた上部３４（図２〜５および１０〜１５）の方へ上向きに向くようにおよび／または淹出容器３０の開いた上部３４に近接して位置するように、フィルタパック６６は、淹出容器３０内に保有されるように構成される。本明細書において使用される際、フィルタパック６６および／またはパウチ６８の「倒置」頂点８０、８２、８４、または８６ならびに「倒置位置」は、頂点８０、８２、８４、または８６が、淹出容器３０の開口部３８の方へ下向きに向くように、頂点８０、８２、８４、または８６のうちの１つが下端部３６に挿入される、淹出容器３０内の位置を意味することが意図される。例示された実施形態では、頂点８０、８２、８４、または８６のいずれも、淹出容器３０内で倒置され得る。具体的には、フィルタパック６６が、頂点８０、８２、８４、または８６のうちのいずれか１つが淹出容器３０の下端部３６に挿入されるように配向されるときに、淹出容器３０の複数側面３Ｄ形状およびサイズと相補的であるように、側面７２、７４、７６、および７８が、パウチ６８の複数側面３Ｄ形状およびサイズを維持するように、パウチ６８の側面７２、７４、７６、および７８が、普遍的な配向性を形成するように共に接合される。換言すれば、パウチ６８の側面７２、７４、７６、および７８、ならびに頂点８０、８２、８４、および８６が、２つの倒置位置のうちの１つまたは複数の倒置位置のうちのいずれか１つに配向されるときに、淹出容器３０内に適合する多角形を形成し、ここで、頂点８０、８２、８４、および８６のうちの異なる関連する１つが、関連する倒置位置のそれぞれにおいて淹出容器３０の下端部３６に近接して位置する。他の実施形態において、パウチ６８が、ただ１つの（すなわち、単一の）倒置位置において淹出容器３０内に保有されるように構成される。換言すれば、他の実施形態において、パウチ６８は、頂点８０、８２、８４、または８６のうちの１つのみが、下端部３６に挿入され、開口部３８の方へ下向きに向くように構成されるような幾何形状を有する。
【００６５】
側面７２、７４、７６、または７８のいずれもが、フィルタパック６６の閉じた上部を画定し得る。具体的には、フィルタパック６６のパウチ６８が、淹出バスケット１８の淹出容器３０内に受け入れられるように構成され、側壁７２、７４、７６、または７８のうちのいずれか１つが、側面７２、７４、７６、または７８（すなわち、淹出容器３０の開いた上部３４の方へ向くおよび／またはその上部３４に近接して位置する側面７２、７４、７６、または７８）のうちの最も高いものとして位置付けられる。以下に記載されるように、パウチ６８の閉じた上部が、淹出動作の間に淹出マシン１０（図１）からの加熱水を受け取るように構成され、淹出されたコーヒーは、倒置頂点８０、８２、８４、または８６から排出する。
【００６６】
パウチ６８の側面７２、７４、７６、および７８、ならびに頂点８０、８２、８４、および８６が、漏斗形状区分１２０、１２２、１２４、および１２６と複数側面３Ｄ形状を形成するように共に接合される。漏斗形状区分１２０、１２２、１２４、および１２６は、それぞれ、関連する頂点８０、８２、８４、および８６に近接して位置付けられる。例えば、コーヒー粉１１０からの抽出を容易にするために、パウチ６８が、それぞれ、関連する頂点８０、８２、８４、または８６が倒置された状態で（すなわち、淹出容器３０の下端部３６において）配向されるときに、コーヒー粉１１０が、漏斗形状区分１２０、１２２、１２４、または１２６のうちのいずれか１つを埋めるように、パウチ６８の普遍的な配向性は、フィルタパック６６が淹出容器３０内に収容されることを可能にする。例えばコーヒー粉１１０からの抽出を容易にするために、フィルタパック６６の漏斗形状区分１２０、１２２、１２４、または１２６のうちのいずれか１つが、淹出容器３０の漏斗形状区分５６（図２〜５、１１、１２、１４、および１５）を実質的に埋めるように、フィルタパック６６のパウチ６８の普遍的な配向性はまた、パウチ６８が、淹出容器３０内に収容されることを可能にする。
【００６７】
漏斗形状区分１２０、１２２、１２４、および１２６は、コーヒー粉１１０を保有するように構成された容積をそれぞれ有する。フィルタパック６６のパウチ６８は、複数の頭部空間１３０、１３２、１３４、および１３６を含み、それらは、それぞれ、関連する漏斗形状区分１２０、１２２、１２４、および１２６と、それぞれ、関連する対向側面７２、７４、７６、および７８との間に延出する。例えば、コーヒー粉１１０からの抽出を容易にするために、パウチ６８が、それぞれ関連する漏斗形状区分１２０、１２２、１２４、または１２６が淹出容器３０の漏斗形状区分５６内にあるように配向されるときに、頭部空間１３０、１３２、１３４、または１３６のうちのいずれか１つが、コーヒー粉１１０とフィルタパック６６の閉じた上部９０との間に延出するように、パウチ６８の普遍的な配向性は、パウチ６８が淹出容器３０内に収容されることを可能にする。例えば、コーヒー粉１１０からの抽出を容易にするために、パウチ６８が、それぞれ関連する漏斗形状区分１２０、１２２、１２４、または１２６が淹出容器３０の漏斗形状区分５６内にあるように配向されるときに、頭部空間１３０、１３２、１３４、または１３６のうちのいずれか１つが、淹出容器３０の頭部区分１２８（図１１および１２）内に延出するように、パウチ６８の普遍的な配向性は、パウチ６８が、淹出容器３０内に収容されることを可能にする。
【００６８】
フィルタパック６６の概ね先細りの複数側面３Ｄ形状の動作および利点は、以下により詳細に記載される。フィルタパック６６のパウチ６８の複数側面３Ｄ形状は、任意の量の先細りによって連続的に先細りになり得る。例えば、内部空洞１０８が任意の容積を有し得、漏斗形状区分１２０、１２２、１２４、および１２６が任意の容積をそれぞれ有し得、頭部空間１３０、１３２、１３４、および１３６が任意の容積を有し得る。
【００６９】
フィルタパック６６の内部空洞１０８の容積、漏斗形状区分１２０、１２２、１２４、および１２６のそれぞれの容積、ならびに／または頭部空間１３０、１３２、１３４、および１３６のそれぞれの容積の選択は、（１）淹出容器３０を通って移動する加熱水の乱流を増加させるように、（２）フィルタパック６６と淹出バスケット１８の本体２８との間に封止を生成するように、（３）コーヒー粉１１０に浸透せずにフィルタパック６６の周りにおよび開口部３８を通って流れる加熱水の量を防止するか低減するように、（４）コーヒー粉１１０に浸透させる加熱水の量を増加させるように、ならびに／あるいは（５）淹出されたコーヒーの質に影響を及ぼすように、選択され得る。
【００７０】
フィルタパック６６のパウチ６８の複数側面３Ｄ形は、フィルタパック６６の例示された実施形態の三角錐形状に限定されないが、むしろ、更にまたはあるいは、淹出バスケット１８と相補的である任意の他の形状を含み得る。換言すれば、三角錐形状に加えてまたは代えて、フィルタパック６６の複数側面３Ｄ形状が、２より大きな任意の数の側面によって画定される任意の他の形状、例えば、限定されるものではないが、２つの側辺によって画定された断面形状（すなわち、３つの側面によって画定された形状）、異なる三角断面形状、異なる四面体形状、矩形断面形状（すなわち、５つの側面によって画定された形状）、正方形断面形状（すなわち、５つの等辺側面によって画定された形状）、八角形断面形状（すなわち、６つの側面によって画定された形状）、少なくとも５つの側面側壁によって画定された形状、少なくとも６つの側面によって画定された形状、および／または同様の形状などを含み得る。フィルタパック６６の他の複数側面３Ｄ形状の様々な非限定例が、図１７および１８を参照して以下に記載される。
【００７１】
いくつかの実施形態では、フィルタパック６６のパウチ６８が、一杯分のコーヒーを淹出するのに適したコーヒー粉１１０の量を含有し、任意選択的に、１回（または限定された数の使用のために）使用され、次いで、廃棄されるように設計される。あるいは、フィルタパック６６のパウチ６８は、単一の淹出動作において一杯分以上のコーヒーを淹出するのに十分な量のコーヒー粉１１０を含有する。
【００７２】
フィルタパック６６のパウチ６８は、任意の材料、例えば、限定されるものではないが、紙、網、金属、ナイロン、天然素材（例えば、パルプ、米の外殻、小麦の殻、サトウキビパルプ、木材、セルロース、および／または同様のもの）、ならびに／あるいは同様のものなどから製造されてもよい。パウチ６８は、パウチ６８に任意の量の液体透過性を提供する任意の多孔性を有してもよい。
【００７３】
任意選択的に、１つのフィルタパック６６および１つの淹出バスケット１８が、使用のために１つのパッケージに共にパッケージ化されてもよい。フィルタパック６６は、バスケット１８の本体２８に接着されてもよいし、またはそうでなくてもよく、あるいは他の場合には本体２８に接続されてもよいし、またはそうでなくてもよい。淹出バスケット１８およびフィルタパック６６はまた、パッケージ化され、互いに別個に販売されてもよい。淹出バスケット１８およびフィルタパック６６は、任意の適切なパッケージング材料（複数可）、例えば、限定されるものではないが、紙、プラスチック、天然素材（例えば、パルプ、米の外殻、小麦の殻、サトウキビパルプ、木材、セルロース、および／または同様のもの）、ならびに／あるいは同様のものなどを使用して、共にまたは別個にかを問わず、パッケージ化されてもよい。紙、プラスチック、天然素材、および／または他の材料（複数可）は、任意の適切な材料（複数可）、例えば、限定されるものではないが、金属薄片、ワックス、および／または同様のものなどを用いて、積層されてもよいし、および／またはコーティングされてもよい。淹出バスケット１８および／またはフィルタパック６６をパッケージ化するために使用されるパッケージング材料は、例えば、保管および／または配送の間に、淹出バスケット１８および／またはフィルタパック６６の汚染ならびに／あるいは劣化に対する損害の防止を容易にするために、封止されてもよい。パッケージング材料は、任意の適切な構造および／または手段、例えば、限定されるものではないが、加熱、接着剤、圧縮、および／または他の締結機構、例えば、限定されるものではないが、クリップ、糸、ワイヤ、変形可能なワイヤ（例えば、パン用の結束具（ｂｒｅａｄ  ｔｉｅ））を含む締結機構など、ならびに／あるいは同様のものなどを使用して封止され得る。パッケージング材料は、例えば、保管および／または配送の間に、淹出バスケット１８および／またはフィルタパック６６の汚染ならびに／あるいは劣化に対する損害の防止を容易にするために、密閉して封止されてもよい。その上、密閉封止に加えて、淹出バスケット１８および／またはフィルタパック６６はまた、真空でパッケージ化されてもよい。
【００７４】
任意選択的に、淹出バスケット１８およびフィルタパック６６のアセンブリが、Ｋ−Ｃｕｐ（登録商標）もしくは類似の単一カップ式コーヒー淹出カプセル、パック（ｐｕｃｋ）、および／または同様のものとして提供されてもよい。同様に、淹出バスケット１８およびフィルタパック６６のアセンブリは、任意選択的に、エスプレッソカプセル、パック（ｐｕｃｋ）、および／または同様のもの、例えば、限定されるものではないが、Ｌａｕｓａｎｎｅ、ＳｗｉｔｚｅｒｌａｎｄのＮｅｓｐｒｅｓｓｏから入手可能なエスプレッソカプセルなどとして提供される。
【００７５】
図１０は、淹出動作が開始される前の淹出バスケット１８およびフィルタパック６６のアセンブリ８８の平面図である。図１１および１２は、図１０の、それぞれ、１１−１１線および１２−１２線に沿って取られたアセンブリ８８の断面図である。図１０〜１２は、淹出バスケット１８の淹出容器３０内に保有されたフィルタパック６６を例示する。具体的には、フィルタパック６６のパウチ６８は、淹出容器３０の開いた上部３４を通して淹出容器３０に挿入されている。図１０〜１２のそれぞれに見られ得るように、フィルタパック６６の閉じた上部９０が、淹出バスケット１８の開いた上部３４の方へ上向きに向くように、また、その開いた上部３４に近接して位置してもよいしまたは位置しなくてもよいように、および／あるいはその開いた上部３４を過ぎて延出してもよいしまたは延出しなくてもよいように、フィルタパック６６は、淹出容器３０内に保有される。フィルタパック６６の閉じた上部９０は、任意の距離Ｄ（図１０においてラベル付けされない）だけ開いた上部３４から離れて間隔を置かれ得る。
【００７６】
上記したように、フィルタパック６６の複数側面３Ｄ形状は、側壁７２、７４、７６、または７８のいずれもが、フィルタパック６６の閉じた上部９０を画定することを可能にする。換言すれば、フィルタパック６６のパウチ６８は、側壁７２、７４、７６、または７８のいずれもが、淹出バスケット１８の開いた上部３４の方へ上向きに向くように、淹出容器３０内に配向され得る。例示された実施形態では、側壁７２がフィルタパック６６の閉じた上部９０を画定するように、フィルタパック６６が、淹出容器３０内に配向される。しかしながら、代わりに、側壁７４、側壁７６、または側壁７８が、フィルタパック６６の閉じた上部９０を画定するように、フィルタパック６６は、淹出容器３０内に配向され得る。側壁７６は、図１１において見えない。側壁７８は、図１２において見えない。
【００７７】
図１０〜１２に見られ得るように、淹出動作が開始される前に（すなわち、加熱水が淹出容器３０の中に供給される前に）、１つ以上の空隙９２が、フィルタパック６６のパウチ６８と、淹出容器３０と境界をつける淹出バスケット１８の本体２８の内部表面９４との間に存在し得る。空隙９２は、フィルタパック６６のパウチ６８の可撓性の性質および／または多孔性によってもたらされ得、それは、様々な凹みおよび／または他のくぼみが、パウチ６８の複数側面３Ｄ形状に形成されることを可能にし得、それによって、空隙９２を画定し得る。
【００７８】
次に、図１１および１２のみを参照すると、上記したように、フィルタパック６６のパウチ６８の複数側面３Ｄ形状は、頂点８０、８２、８４、または８６のうちのいずれか１つが淹出容器３０内で倒置されることを可能にする。例示された実施形態では、フィルタパック６６のパウチ６８は、頂点８０が倒置位置にあるように、淹出容器３０内に配向される。しかしながら、代わりに、フィルタパック６６のパウチ６８は、頂点８２、頂点８４、または頂点８６が倒置位置にあるように、淹出容器３０内に配向されてもよい。頂点８２および８４は、図１１において見えない。
【００７９】
上記したように、フィルタパック６６の普遍的な配向性は、フィルタパック６６が、頂点８０、８２、８４、または８６のうちのいずれか１つが倒置位置にあるように配向されるときに、側面７２、７４、７６、および７８が、淹出容器３０の複数側面３Ｄ形状およびサイズと相補的であるようにパウチ６８の複数側面３Ｄ形状およびサイズを維持することを可能にする。例示された実施形態では、図１１および１２に見られ得るように、フィルタパック６６の普遍的な配向性は、フィルタパック６６が、頂点８０が倒置位置にあるように配向されるときに、淹出容器３０の複数側面３Ｄ形状およびサイズと相補的であるようにパウチ６８の複数側面３Ｄ形状およびサイズを維持する。換言すれば、頂点８０が倒置位置にある（すなわち、淹出容器３０の下端部３６に近接して位置する）ときに、パウチ６８が、淹出容器３０内に適合する多角形を形成する。頂点８２および８６は、図１２において見えない。図１１および１２に示されるように、例示された実施形態では、パウチ６８は、頭部空間１３０が淹出容器３０の頭部区分１２８内に延出するように、淹出容器３０内に収容される。
【００８０】
上記したように、パウチ６８の普遍的な配向性は、コーヒー粉１１０が漏斗形状区分１２０、１２２、１２４、または１２６のうちのいずれか１つを埋めるように、フィルタパック６６が、淹出容器３０内に収容されることを可能にする。図１１および１２に示されるように、例示された実施形態では、関連する頂点８０が倒置位置にあるので、パウチ６８内に含有されたコーヒー粉１１０が漏斗形状区分１２０を埋める。換言すれば、重力が、パウチ６８内に含有されたコーヒー粉１１０を漏斗形状区分１２０内の堆積部９８に集めさせる。
【００８１】
フィルタパック６６のパウチ６８の普遍的な配向性はまた、上記にも示したように、フィルタパック６６の漏斗形状区分１２０、１２２、１２４、または１２６のうちのいずれか１つが、淹出容器３０の漏斗形状区分５６を実質的に埋めるように、パウチ６８が淹出容器３０内に収容されることも可能にする。例示された実施形態では、漏斗形状区分１２０が淹出容器３０の漏斗形状区分５６を実質的に埋めるように、パウチ６８が淹出容器３０内に収容される。例えば、淹出容器３０の漏斗形状区分５６が、開口部３８の側辺４８から上向きに高さＨ１だけ延出する。例示された実施形態では、垂直間隙Ｇが、パウチ６８の頂点８０の端１００と開口部３８の端４８との間に延出する。本明細書において使用される際、いくつかの実施形態では、垂直間隙Ｇが、淹出バスケット１８の淹出容器３０の高さＨの約５％より小さいときに、パウチ６８の漏斗形状区分１２０が、淹出容器の漏斗形状区分５６を「実質的に埋める」。いくつかの実施形態では、垂直間隙Ｇが、淹出容器３０の高さＨの約２．５％よりも小さい。更に他の実施形態では、漏斗形状区分１２０が、淹出容器３０の漏斗形状区分５６の高さＨ１のほぼ全体を埋める。換言すれば、いくつかの実施形態では、垂直間隙Ｇが、端１００と端４８との間に延出しない（すなわち、垂直間隙Ｇが、ゼロの値を有するまたは負の値を有する）。例えば、垂直間隙Ｇが負の値を有するように、頂点８０の端１００は、開口部３８の中に延出し得る。他の実施形態では、垂直間隙Ｇが、淹出バスケット１８の淹出容器３０の高さＨの約５％よりも大きいおよび／または約１０％よりも大きい。
【００８２】
いくつかの実施形態では、垂直間隙Ｇが約０．２インチに等しいまたは約０．２インチよりも小さいときに、フィルタパック６６の漏斗形状区分１２０が、淹出容器３０の漏斗形状区分５６を「実質的に埋める」。任意選択的に、垂直間隙Ｇは、約０．１インチに等しいまたは約０．１インチよりも小さい。いくつかの実施形態では、垂直間隙Ｇが、ゼロの値を有するまたは負の値を有する。他の実施形態では、垂直間隙Ｇが、約０．２インチよりも大きいおよび／または約１．０インチよりも大きい。
【００８３】
図１１および１２に見られ得るように、淹出容器３０の漏斗形状区分５６が、フィルタパック６６に封入されたコーヒー粉１１０を保有する淹出容器３０の粉保持区分を画定する。
【００８４】
淹出容器３０の漏斗形状区分５６を実質的に埋めることによって、フィルタパック６６は、フィルタパック６６のパウチ６８と淹出バスケット１８の本体２８との間の封止の生成を容易にし得、それは、例えば、コーヒー粉１１０に浸透せずにフィルタパック６６のパウチ６８の周りにおよび開口部３８を通って流れる加熱水の量を防止するか低減することによって、ならびに／あるいはコーヒー粉１１０に浸透させる加熱水の量を増加させることによって、コーヒー粉１１０からの抽出を容易にし得る。したがって、淹出容器３０の漏斗形状区分５６をフィルタパック６６の漏斗形状区分１２０で実質的に埋めることは、例えば、淹出されたコーヒーの濃さ（例えば、淹出されたコーヒー内の加熱水の単位当たりでのＴＤＳの量）を増加させることによって、および／または淹出されたコーヒーの抽出収率（すなわち、フィルタパック６６から淹出されたコーヒーに移動された［可溶性［ｓｉｃ］］コーヒー粉の量）を増加させることによって、淹出されたコーヒーの質に影響を及ぼし得る。
【００８５】
淹出容器３０の漏斗形状区分５６を実質的に埋めることは、淹出容器３０を通って移動する加熱水の乱流を増加させることを容易にし得、それは、例えば、コーヒー粉１１０に浸透せずに淹出容器３０を通って流れる加熱水の量を防止するか低減することによって、および／またはコーヒー粉１１０に浸透させる加熱水の量を増加させることによって、コーヒー粉１１０からの抽出を容易にし得る。例えば、淹出容器３０の漏斗形状区分５６を実質的に埋めることは、少なくともいくつかの既知のコーヒー淹出マシンと比較して、コーヒー粉１１０の堆積部９８のより深い床部の深さを提供し得、それは、例えば、より遅いおよび／またはより効率的な淹出プロセスを提供し得る。したがって、淹出容器３０の漏斗形状区分５６をフィルタパック６６の漏斗形状区分１２０で実質的に埋めることは、例えば、淹出されたコーヒーの濃さ（例えば、淹出されたコーヒー内の加熱水の単位当たりでのＴＤＳの量）を増加させることによって、および／または淹出されたコーヒーの抽出収率（すなわち、フィルタパック６６から淹出されたコーヒーに移動した［可溶性［ｓｉｃ］］コーヒー粉の量）を増加させることによって、淹出されたコーヒーの質に影響を及ぼし得る。
【００８６】
フィルタパック６６の漏斗形状区分１２０によって埋められる淹出容器３０の漏斗形状区分５６の量は、（１）淹出容器３０を通って移動する加熱水の乱流を増加させるように、（２）例えば以下に記載されるように、フィルタパック６６のパウチ６８と淹出バスケット１８の本体２８との間に封止を生成するように、（３）コーヒー粉１１０に浸透せずにフィルタパック６６のパウチ６８の周りにおよび開口部３８を通って流れる加熱水の量を防止するか低減するように、（４）コーヒー粉に浸透させる加熱水の量を増加させるように、ならびに／あるいは（５）淹出されたコーヒーの質に影響を及ぼすように、選択され得る。
【００８７】
図１３は、淹出バスケット１８およびフィルタパック６６のアセンブリ８８の平面図であり、淹出動作が開始された後のアセンブリ８８を例示する。具体的には、図１３は、加熱水が淹出マシン１０のノズル１０２から淹出バスケット１８の淹出容器３０の中に供給された後のアセンブリ８８を例示する。ノズル１０２は、淹出マシン１０によって加熱された水を淹出容器３０の中に誘導するように構成される淹出マシン１０の構成要素である。明瞭さのために、ノズル１０２は、図１３に示される淹出マシン１０の単に他の構成要素（淹出マシン１０の構成要素としてそれぞれ考えられてもよいしまたはそうでなくてもよい、淹出バスケット１８およびフィルタパック６６の他に）である。淹出マシン１０のノズル１０２は、明瞭さのために図１３において透明に示される。
【００８８】
図１３に示されるように、いくつかの実施形態では、ノズル１０２から供給される加熱水が、フィルタパック６６の閉じた上部９０上に貯留するように構成される。換言すれば、加熱水が、フィルタパック６６のパウチ６８の側面７２の外部表面１３８上に貯留するように構成される。加熱水がノズル１０２の出口１１２から閉じた上部９０の上に供給される際、例えば、コーヒー粉１１０からの抽出を容易にするために、加熱水は、閉じた上部９０に沿って貯水ポケット１０４を形成する。加熱水が、パウチ６８の閉じた上部９０を通してフィルタパック６６の内部空洞１０８の中に拡散するように、加熱水は、貯水ポケット１０４内に貯留部１０６を形成する。ノズル１０２の出口１１２は、加熱水が、貯留ポケット１０４内に貯留部１０６を形成することを可能にする淹出容器３０に対して任意の場所（すなわち、フィルタパック６６の閉じた上部９０に沿う任意の場所）に位置付けられ得る。例示された実施形態では、ノズル１０２がフィルタパック６６の閉じた上部９０のほぼ中央の上に加熱水を誘導するように構成されるように、ノズル１０２の出口１１２が、淹出容器３０に対して位置付けられる。パウチ６８の多孔性、加熱水が閉じた上部９０の上に供給される速度、淹出容器３０に対するノズル１０２の出口１１２の場所、および／または閉じた上部９０の上に供給される加熱水の量は、加熱水が貯留部１０６を形成することを可能にするように、および／または所定の量の貯留（すなわち、貯留部１０６内に含まれる水の量）を提供するように、選択され得る。貯留部１０６および貯留ポケット１０４は、閉じた上部９０に沿う任意の形状およびサイズを有し得る。
【００８９】
貯留部１０６は、所与の時間に任意の量の水を含み得る。いくつかの実施形態では、貯留部１０６内に含まれる水の量は、顕著な分量の水ではない。例えば、貯留部１０６内に含まれる水の量は、顕微鏡または他の拡大装置を使用せずに人間の目で見える顕著な分量の水ではない可能性がある（すなわち、肉眼では見えない可能性がある）。
【００９０】
いくつかの代替の実施形態では、ノズル１０２から供給される加熱水が、フィルタパック６６の閉じた上部９０上に貯留しない。換言すれば、いくつかの代替の実施形態では、加熱水が、閉じた上部９０上に貯留部１０６を形成せずに、パウチ６８の閉じた上部９０を通しておよび内部空洞１０８の中に拡散する。その上、いくつかの実施形態では、フィルタパック６６の閉じた上部９０上の貯留に加えてまたは代えて、ノズル１０２から供給される加熱水が、コーヒー粉１１０の堆積部９８上でフィルタパック６６の内部空洞１０８内に貯留するように構成される。
【００９１】
フィルタパック６６の閉じた上部９０に沿う（および／またはコーヒー粉１１０の堆積部９８上の）加熱水の貯留は、例えば、コーヒー粉１１０に浸透せずに（図２〜５および１０〜１５に示される）フィルタパック６６のパウチ６８の周りにおよび開口部３８を通って流れる加熱水の量を防止するか低減することによって、コーヒー粉１１０からの抽出を容易にし得る。換言すれば、閉じた上部９０に沿う（および／またはコーヒー粉１１０の堆積部９８上の）加熱水の貯留が、フィルタパック６６の内部空洞１０８に入る代わりに、パウチ６８と淹出バスケット１８の本体２８との間に流れる加熱水の量を低減し得、それによって、フィルタパック６６の内部空洞１０８の中に流れてコーヒー粉１１０に浸透させる加熱水の量を増加させ得る。したがって、加熱水の貯留は、例えば、淹出されたコーヒーの濃さを増加させることによって、および／または淹出されたコーヒーの抽出収率を増加させることによって、淹出されたコーヒーの質に影響を及ぼし得る。
【００９２】
フィルタパックの閉じた上部９０に沿う（および／またはコーヒー粉１１０の堆積部９８上の）加熱水の貯留は、フィルタパック６６のパウチ６８と淹出バスケット１８の本体２８との間の封止の生成を容易にし得、それは、コーヒー粉１１０に浸透せずにフィルタパック６６の周りにおよび開口部３８を通って流れる加熱水の量を防止し得るか低減し得、ならびに／あるいはコーヒー粉１１０に浸透させる加熱水の量を増加させ得る。上記したように、パウチ６８と本体２８との間の封止は、淹出されたコーヒーの質に影響を及ぼし得る。
【００９３】
フィルタパック６６の閉じた上部９０に沿う（および／またはコーヒー粉１１０の堆積部９８上の）加熱水の貯留は、例えば、コーヒー粉１１０に浸透せずに淹出容器３０を通って流れる加熱水の量を防止するか低減することによって、および／またはコーヒー粉１１０に浸透させる加熱水の量を増加させることによって、淹出容器３０を通って移動する加熱水の乱流の増加を容易にし得、それは、コーヒー粉１１０からの抽出を容易にし得る。例えば、加熱水の貯留は、少なくともいくつかの既知のコーヒー淹出マシンと比較して、コーヒー粉１１０の堆積部９８のより深い床部の深さを提供し得、それは、例えば、より遅いおよび／またはより効率的な淹出プロセスを提供し得る。したがって、加熱水の貯留は、例えば、淹出されたコーヒーの濃さを増加させることによって、および／または淹出されたコーヒーの抽出収率を増加させることによって、淹出されたコーヒーの質に影響を及ぼし得る。
【００９４】
フィルタパック６６の閉じた上部９０に沿う（および／またはコーヒー粉１１０の堆積部９８上の）加熱水の貯留量（例えば、貯留部１０６内に含まれる水の分量）は、（１）淹出容器３０を通って移動する加熱水の乱流を増加させるように、（２）フィルタパック６６のパウチ６８と淹出バスケット１８の本体２８との間に封止を生成するように、（３）コーヒー粉１１０に浸透せずにフィルタパック６６の周りにおよび開口部３８を通って流れる加熱水の量を防止するか低減するように、（４）コーヒー粉１１０に浸透させる加熱水の量を増加させるように、ならびに／あるいは（５）淹出されたコーヒーの質に影響を及ぼすように、選択され得る。
【００９５】
図１４および１５は、それぞれ、図１３の１４−１４線および１５−１５線に沿って取られたアセンブリ８８の断面図である。図１４および１５は、図１３に示される淹出動作が開始された後の淹出バスケット１８の淹出容器３０内に保有されたフィルタパック６６を例示する。上記したように、淹出容器３０の複数側面３Ｄ形状の内部に先細りになった漏斗形状は、淹出マシン１０（図１）から供給される加熱水をフィルタパック６６のコーヒー粉１１０の堆積部９８を通して（矢印Ａによって示されるように）下向きに、かつフィルタパック６６の頂点８０を通して淹出容器３０および淹出容器３０の下端部３６の開口部３８の外に誘導する。
【００９６】
フィルタパック６６は、淹出容器３０内に比較的密な適合を有する。例えば、上記したように、フィルタパック６６の複数側面３Ｄ形状およびサイズは、淹出容器３０の複数側面３Ｄ形状およびサイズと相補的である。フィルタパック６６の相補的な３Ｄ形状およびサイズは、パウチ６８が淹出動作の間に淹出バスケット１８の本体２８の内部表面９４に対して封止するように構成される。例えば、淹出動作が開始される前に、フィルタパック６６がフィルタパック６６と淹出バスケット１８の本体２８との間に存在した空隙９２を埋めるように、淹出容器３０に対するフィルタパック６６の相補的な３Ｄ形状およびサイズが、淹出動作の間に膨らむように構成される。空隙９２は、明瞭さのために図１４および１５において透明に示される。
【００９７】
本明細書において使用される際、パウチ６８および本体２８の内部表面９４との間の「封止」は、加熱水の所定の量（例えば、限定されるものではないが、少なくとも約７０％、少なくとも約８０％、少なくとも約９０％、またはほぼ全部など）が、パウチ６８と内部表面９４との間に流れることを防止することとして定義される。換言すれば、パウチ６８と本体２８の内部表面９４との間の「封止」は、加熱水の所定量をコーヒー粉１１０に浸透させるように、加熱水の所定の量（例えば、限定されるものではないが、少なくとも約７０％、少なくとも約８０％、少なくとも約９０％、またはほぼ全部など）をフィルタパック６６の内部空洞１０８の中に誘導することとして定義される。フィルタパック６６のパウチ６８と淹出バスケット１８の内部表面９４との間の封止は、淹出容器３０に対するフィルタパック６６の相補的な形状およびサイズ、上記したフィルタパックの閉じた上部９０上の加熱水の貯留によって、および／または上記したように、淹出容器３０の漏斗形状区分５６をフィルタパック６６の漏斗形状区分１２０で実質的に埋めることによって、生成され得る。
【００９８】
フィルタパック６６のパウチ６８と淹出バスケット１８の本体２８の内部表面９４との間の封止は、コーヒー粉１１０に浸透せずにフィルタパック６６のパウチ６８の周りにおよび開口部３８を通って流れる加熱水の量を防止するか低減することを容易にし得、ならびに／あるいはコーヒー粉１１０に浸透させる加熱水の量を増加させることを容易にし得る。したがって、フィルタパック６６のパウチ６８と淹出バスケット１８の本体２８の内部表面９４との間の封止は、例えば、淹出されたコーヒーの濃さを増加させることによって、および／または淹出されたコーヒーの抽出収率を増加させることによって、淹出されたコーヒーの質に影響を及ぼし得る。
【００９９】
フィルタパック６６のパウチ６８と淹出バスケット１８の本体２８の内部表面９４との間の封止の強さ（例えば、上記した所定の量）は、（１）コーヒー粉１１０に浸透せずにフィルタパック６６のパウチ６８の周りにおよび開口部３８を通って流れる加熱水の量を防止するか低減するように、（２）コーヒー粉１１０に浸透させる加熱水の量を増加させるように、ならびに／あるいは（３）淹出されたコーヒーの質に影響を及ぼすように、選択され得る。
【０１００】
任意選択的に、淹出バスケット１８は、淹出バスケット１８の淹出容器３０の形状とは異なる形状を有するフィルタパック（図示されない）と共に使用され得る。一例として、別個の構成要素が、淹出容器３０内に異なって形作られたフィルタパックを保有するように構成された挿入物（図示されない）として形成されてもよい。挿入物は、淹出容器３０の複数側面３Ｄ形状と相補的である外部形状を備え得る一方で、挿入物は、異なって形作られたフィルタパック（例えば、非３Ｄ形状）と相補的である内部形状を備えている。例えば、挿入物の外部形状は、淹出容器３０の例示された実施形態の三角錐形状と相補的である三角錐の複数側面３Ｄ形状を有してもよいし、一方で、挿入物の内部形状は、２つの側辺によって画定された断面形状（すなわち、３つの側面によって画定された形状）、淹出容器３０とは異なる三角断面形状、淹出容器３０とは異なる四面体形状、矩形断面形状（すなわち、５つの側面によって画定された形状）、正方形断面形状（すなわち、５つの等辺側面によって画定された形状）、八角形断面形状（すなわち、６つの側面によって画定された形状）、少なくとも５つの側面側壁によって画定された形状、少なくとも６つの側面によって画定された形状、より多くの２Ｄ形状（例えば、比較的平坦なおよび／または薄い形状、パック形状、ならびに／あるいは同様のもの）、および／または同様の形状を有するフィルタパックと相補的である異なる形状を有する。挿入物は、淹出バスケット１８が、本明細書に記載されたおよび／または例示された他の実施形態のうちの１つ以上と同じ淹出結果および／または性能を提供する様態で、淹出容器３０とは異なる形状を有するフィルタパックと共に使用されることを可能にし得る。
【０１０１】
図１６は、淹出バスケット１８（図１〜５および１０〜１５）とフィルタパック６６（図６〜１５）のアセンブリ８８（図１０〜１５）を使用してコーヒーを淹出する実験結果を例示する表２００である。表２００は、複数のテスト淹出２０２ａ、２０２ｂ、２０２ｃ、２０２ｄ、および２０２ｅを含む。各テスト淹出２０２は、特定のコーヒーブレンド、コーヒー粉１１０の量（グラム［ｇ］単位）、および各淹出テスト２０２に使用される水の種類でラベル付けされる。「Ｐ５６」は、独自のコーヒーブレンドのことを言う。表２００の実験結果は、上部が開くコーヒー淹出マシンを使用して取得した。
【０１０２】
各テスト淹出２０２について、表２００は、テスト淹出２０２を画定する複数の淹出パラメータ２０４を含む。具体的には、淹出パラメータ２０４は、フィルタ位置パラメータ２０４ａ、フィルタ寸法パラメータ２０４ｂ、および紙密度パラメータ２０４ｃを含む。フィルタ位置パラメータ２０４ａは、フィルタパック６６の継ぎ目１１４の幅のサイズ（ミリメートル［ｍｍ］単位）を示す。フィルタ位置パラメータ２０４ａはまた、淹出容器３０内の継ぎ目１１４の配向性を示す。具体的には、「上向き封止」が、継ぎ目１１４（図６〜９）がフィルタパック６６の閉じた上部９０（図１０〜１５）に沿って延出するように、フィルタパック６６が淹出容器３０内に配向されることを示す。「下向き封止」が、継ぎ目１１４が淹出バスケット１８の側壁５０、５２、または５４（図２〜５）のうちの１つに向くように、フィルタパック６６が淹出容器３０（図１〜５および１０〜１５）内に配向されることを示す。フィルタ寸法パラメータ２０４ｂは、淹出バスケット１８の３Ｄ形状ならびに淹出バスケット１８の３Ｄ形状の特定の寸法（インチ［ｉｎ］単位）を示す。紙密度パラメータ２０４ｃは、フィルタパック６６のパウチ６８（図６〜１５）を製造するために使用されるフィルタ紙の紙密度（グラム毎平方メートル［ｇ／ｍ2］単位）を示す。紙密度はまた、通常、「坪量」とも称される。
【０１０３】
淹出パラメータ２０４は、正味のコーヒー重量パラメータ２０４ｄ、グラインド（ｇｒｉｎｄ）サイズパラメータ２０４ｅ、水入力パラメータ２０４ｆ、および水回収パラメータ２０４ｇを含む。正味のコーヒー重量パラメータ２０４ｄは、各淹出テスト２０２において使用されたコーヒー粉１１０の正味の重量（ｇ単位）を示す。グラインドサイズパラメータ２０４ｅは、個々のコーヒー粉１１０の選択されたサイズ（ミクロン［μ］単位）を示す。グラインドサイズパラメータ２０４ｅは、＋／−５０μの誤差を有し得る。水入力パラメータ２０４ｆは、各淹出テスト２０２のために淹出容器３０の中に供給される水の量（液量オンス［ｏｚ］単位）を示す。水回収パラメータ２０４ｇは、淹出容器３０からコーヒー受け取り用の器２２（図１）によって受け取られる水の量（オンス単位）を示す。換言すれば、水回収パラメータ２０４ｇは、淹出容器３０の中に供給された水の量のうちのどのくらいがコーヒー受け取り用の器２２の中に回収される（すなわち、受け取られる）かを示す。それゆえ、水回収パラメータ２０４ｇは、淹出容器２０の中に供給された水のうちのどのくらいが淹出プロセスに対して失われた（すなわち、フィルタパック６６および／または淹出容器３０内にとどまる）かについての情報を与える。
【０１０４】
淹出パラメータ２０４は、淹出時間パラメータ２０４ｉ、第１の淹出温度パラメータ２０４ｊ、および第２の淹出温度パラメータ２０４ｋを含む。淹出時間パラメータ２０４ｉは、各淹出テスト２０２の淹出動作の持続時間（分［ｍｉｎ］単位）を示す。第１の淹出温度パラメータ２０４ｊは、各淹出テスト２０２のために淹出マシン１０のノズル１０２から淹出容器３０の中に供給される加熱水の温度（華氏温度［°Ｆ］単位）を示す。第２の淹出温度パラメータ２０４ｋは、各淹出テスト２０２のためにコーヒー受け取り用の器２２の中に受け取られる淹出されたコーヒーの温度（°Ｆ単位）を示す。
【０１０５】
淹出パラメータ２０４はまた、各テスト淹出２０２のための開口部サイズパラメータ２０４ｌおよびコメントパラメータ２０４ｍも含む。開口部サイズパラメータ２０４ｌは、淹出バスケットの下端部３６（図２〜５および１０〜１５）の開口部３８（図２〜５および１０〜１５）のサイズ（ｍｍ単位）を示す。コメントパラメータ２０４ｍは、各淹出テスト２０２についてのコメントを提供する。「良好な沈下（ｓａｇ）」は、フィルタパック６６の閉じた上部９０上の水の貯留部１０６（図１３）の比較的良好な形成のことを言う。「非常に（Ｖ．）良好な沈下」は、「良好な沈下」よりも大きな貯留部１０６のことを言う。「中央における噴出口」は、淹出マシン１０のノズル１０２が、フィルタパック６６の閉じた上部９０のほぼ中央の上に加熱水を誘導するように構成されることを言う。
【０１０６】
各テスト淹出２０２について、表２００は、複数の淹出結果２０６を含む。具体的には、淹出結果２０６は、第１のＴＤＳ結果２０６ａ、第２のＴＤＳ結果２０６ｂ、第３のＴＤＳ結果２０６ｃ、および平均ＴＤＳ結果２０６ｄを含む。第１、第２、および第３のＴＤＳ結果２０６ａ、２０６ｂ、および２０６ｃは、それぞれ、淹出されたコーヒーがコーヒー受け取り用の器の中に供給された後の異なる時間におけるＴＤＳ（すなわち、淹出されたコーヒー内の加熱水の単位当たりでのＴＤＳの量）測定（百万分率［ｐｐｍ］単位）を表現する。平均ＴＤＳ結果２０６ｄは、第１のＴＤＳ結果２０６ａ、第２のＴＤＳ結果２０６ｂ、および第３のＴＤＳ結果２０６ｃの平均である。ＴＤＳ結果２０６ａ、２０６ｂ、および２０６ｃは、屈折計を使用して取得した。
【０１０７】
ＴＤＳ結果２０６ａ、２０６ｂ、２０６ｃ、および２０６ｄは、淹出されたコーヒーの抽出のレベルを表現する。表２００から見られ得るように、ＴＤＳ結果２０６ａ、２０６ｂ、２０６ｃ、および２０６ｄのＴＤＳ値は、様々な淹出テスト２０２について約９９８ｐｐｍ〜約１２１１ｐｐｍ間で変動する。
【０１０８】
図１７は、淹出バスケット１８（図１〜５および１０〜１５）とフィルタパック６６（図６〜１５）のアセンブリ８８（図１０〜１５）を使用してコーヒーを淹出するより多くの実験結果を例示する表３００である。表３００は、複数の組のテスト淹出３０２、すなわち、テスト淹出セット３０２ａ、３０２ｂ、および３０２ｃを含む。テスト淹出セット３０２ａは、２９個のテスト淹出を含み、それらは、表３００においてテスト淹出番号１〜２９としてラベル付けされる。テスト淹出セット３０２ｂは、（表３００においてテスト淹出番号３０〜３５としてラベル付けされた）６個のテスト淹出を含み、テスト淹出セット３０２ｃは、（表３００においてテスト淹出番号３６〜４５としてラベル付けされた）１０個のテスト淹出を含む。表３００の実験結果は、上部が閉じたコーヒー淹出マシンを使用して取得した。
【０１０９】
各テスト淹出セット３０２内の各淹出テストについて、表３００は、テスト淹出を画定する複数の淹出パラメータ３０４を含む。具体的には、淹出パラメータ３０４は、コーヒーブレンドパラメータ３０４ａ、フィルタ位置パラメータ３０４ｂ、フィルタ寸法パラメータ３０４ｃ、および紙密度パラメータ３０４ｄを含む。コーヒーブレンドパラメータ３０４ａは、テスト淹出のために使用された特定の種類のコーヒーブレンドを示す。「Ｐ５６」は、図１６の表２００において使用されたものと同じ独自のコーヒーブレンドのことを言う。「Ｐ５３」は、別の独自のコーヒーブレンドのことを言う。図１７の表３００の実験結果は、２つの異なるブレンドのコーヒーを使用して取得したことを認識されたい。フィルタ位置パラメータ３０４ｂは、淹出容器３０内の継ぎ目１１４の配向性を示す。「継ぎ目上向き」は、継ぎ目１１４（図６〜９）が、フィルタパック６６の閉じた上部９０（図１０〜１５）に沿って延出するように、フィルタパック６６が淹出容器３０内で配向されることを示す。「継ぎ目下向き」は、継ぎ目１１４が淹出バスケット１８の側壁５０、５２、または５４（図２〜５）のうちの１つに向くように、フィルタパック６６が淹出容器３０内で配向されることを示す。フィルタ寸法パラメータ３０４ｃは、淹出バスケット１８の３Ｄ形状のみならず淹出バスケット１８の３Ｄ形状の特定の寸法（インチ［ｉｎ］単位）を示す。紙密度パラメータ３０４ｄは、フィルタパック６６のパウチ６８（図６〜１５）を製造するために使用されたフィルタ紙の紙密度（グラム毎平方メートル［ｇ／ｍ2］単位）を示す。
【０１１０】
淹出パラメータ３０４は、正味のコーヒー重量パラメータ３０４ｅ、グラインドサイズパラメータ３０４ｆ、および水入力パラメータ３０４ｇを含む。正味のコーヒー重量パラメータ３０４ｅは、各淹出テストにおいて使用されたコーヒー粉１１０の正味の重量（ｇ単位）を示す。グラインドサイズパラメータ３０４ｆは、個々のコーヒー粉１１０の選択されたサイズ（ミクロン［μ］単位）を示す。グラインドサイズパラメータ３０４ｆは、＋／−５０μの誤差を有し得る。水入力パラメータ３０４ｇは、各淹出テストのために淹出容器３０の中に供給される水の量（流体オンス［ｏｚ］単位）を示す。
【０１１１】
淹出パラメータ３０４は、第１の淹出温度パラメータ３０４ｈおよび第２の淹出温度パラメータ３０４ｉを含む。第１の淹出温度パラメータ３０４Ｈは、各淹出テストのために淹出マシン１０のノズル１０２から淹出容器３０（図１〜５および１０〜１５）の中に供給される加熱水の温度（華氏温度［°Ｆ］単位）を示す。第２の淹出温度パラメータ３０４Ｉは、各淹出テストのためのコーヒー受け取り用の器２２の中に受け取られる淹出されたコーヒーの温度（°Ｆ単位）を示す。
【０１１２】
淹出パラメータ３０４はまた、各淹出テストのための開口部サイズパラメータ３０４ｊを含む。開口部サイズパラメータ３０４ｊは、淹出バスケットの下端部３６（図２〜５および１０〜１５）の開口部３８（図２〜５および１０〜１５）のサイズ（ｍｍ単位）を示す。
【０１１３】
各淹出テストセット３０２ａ、３０２ｂ、および３０２ｃについて、表３００は、複数の淹出結果３０６を含む。具体的には、図１７の表３００に見られ得るように、各テスト淹出テストセット３０２の各テスト淹出が、ＴＤＳ結果３０６ａおよび抽出収率結果３０６ｂを含む。各ＴＤＳ結果３０６ａは、淹出されたコーヒーがコーヒー受け取り用の器の中に供給された後のＴＤＳ（すなわち、淹出されたコーヒー内の加熱水の単位当たりでのＴＤＳの量）測定（百万分率［ｐｐｍ］単位）を表現する。ＴＤＳ結果２０６ａ、２０６ｂ、および２０６ｃは、オーブン焼き方法を使用して取得した。各抽出収率結果３０６ｂは、淹出されたコーヒーの抽出収率（すなわち、フィルタパック６６から淹出されたコーヒーに移動した［可溶性［ｓｉｃ］］コーヒー粉の量）を表現する。
【０１１４】
表３００から分かり得るように、テスト淹出セット３０２ａのＴＤＳ結果３０６ａのＴＤＳ値は、７３６．００ｐｐｍ〜９２２．７０ｐｐｍ間で変動し、テスト淹出セット３０２ｂのＴＤＳ結果３０６ａのＴＤＳ値は、５３０．７０ｐｐｍ〜９３３．６０ｐｐｍ間で変動し、テスト淹出セット３０２ｃのＴＤＳ結果３０６ａのＴＤＳ値は、６６２．２０ｐｐｍ〜７８７．９０ｐｐｍ間で変動する。コメントパラメータ３０４ｂに示されるように、テスト淹出セット３０２ａにおけるテスト淹出番号１の７３６．００ｐｐｍのＴＤＳ結果３０６ａおよびテスト淹出セット３０２ｂにおけるテスト淹出番号３０の５３０．７０ｐｐｍは、フィルタパック６６の継ぎ目上向きの構成を使用して取得したが、テスト淹出セット３０２ａ、３０２ｂ、および３０２ｃのそれぞれの場合の全ての他のＴＤＳ結果３０６ａは、フィルタパック６６の継ぎ目下向きの構成を使用して取得した。図１６の表２００におけるＴＤＳ結果２０６の値と比較したＴＤＳ結果３０６ａの値の差異は、表２００および３００の実験結果を取得するために使用される異なる方法論（すなわち、屈折計を使用すること対オーブン焼き方法を使用すること）によって説明され得る。
【０１１５】
テスト淹出セット３０２ａの場合の抽出収率結果３０６ｂの抽出収率値は、２１．４２％〜２６．１８％間で変動し、テスト淹出セット３０２ｂの場合の抽出収率結果３０６ｂの抽出収率値は、１５．３３％〜２６．０４％間で変動し、テスト淹出セット３０２ｃの場合の抽出収率結果の抽出収率値は、１９．０１％〜２２．２０％間で変動する。コメントパラメータ３０４ｂに示されるように、テスト淹出セット３０２ａにおけるテスト淹出番号１の場合の２１．４２％の抽出収率結果３０６ｂおよびテスト淹出セット３０２ｂにおけるテスト淹出番号３０の場合の１５．３３％は、フィルタパック６６の継ぎ目上向きの構成を使用して取得したが、テスト淹出セット３０２ａ、３０２ｂ、および３０２ｃのそれぞれの場合の全ての他の抽出収率結果３０６ｂは、フィルタパック６６の継ぎ目下向きの構成を使用して取得した。
【０１１６】
本明細書に記載されたおよび／または例示された淹出バスケット（例えば、淹出バスケット１８）、フィルタパック（例えば、フィルタパック６６）、ならびに／あるいはフィルタ（例えば、図２１に示されるフィルタ９６６）の様々な実施形態を使用してコーヒーを淹出する淹出結果は、例えば、限定されるものではないが、高さ、幅、容積、側壁のピッチ、および／または同様のものなどのパラメータ間で維持された形状および比例した寸法に一部起因する非常に限定された変動を伴って、高度に再現可能である。淹出結果は、様々な環境上および機器パラメータを複数の淹出動作にわたってほぼ一定（または所定の許容範囲内）に維持することによって、複数の淹出動作上で再現可能である。複数の淹出動作にわたってほぼ一定（または所定の許容範囲内）に維持され得るかかる環境上のパラメータの例は、限定されるものではないが、（１）（通常、「ドージング（ｄｏｓｉｎｇ）」と称される）淹出動作において使用される水の量に対するコーヒー粉の量の比率、２）加熱水の温度、（３）加熱水の任意のただ１つの単位がコーヒー粉と物理的に接触する持続時間、および（４）コーヒーの特定の種類、グラインド、および／またはブレンドを含む。抽出、苦味、ＴＤＳ、および／または同様のものに影響を及ぼす他の環境上のパラメータは、実質的に一定に保有され得る。
【０１１７】
「再現可能である」とは、環境上のパラメータが所定の許容範囲内に維持されるときに、複数の淹出動作の淹出結果が互いに対して所定の変動内に収まることを意味する。具体的には、複数の淹出動作が、本明細書に記載されたおよび／または例示された淹出バスケット、フィルタパック、および／またはフィルタの任意の選択された実施形態を使用して実行された後、淹出結果は、複数の淹出動作にわたって様々な環境上のパラメータをほぼ一定（または所定の許容範囲内）に維持することによって、互いの所定の変動内で再現可能である。本明細書に記載されたおよび／または例示された淹出バスケット、フィルタパック、ならびに／あるいはコーヒーのある実施形態を使用して取得された淹出結果の再現可能性の例は、限定されるものではないが、互いの約５％以内、より一般には互いの約１０％以内、より一般には互いの約１７．５％以内、または更により一般には互いの約２５％以内の所定の好適な変動を有する淹出結果（例えば、ＴＤＳ）を含む。
【０１１８】
再現可能である特性は、限定されるものではないが、淹出されたコーヒーのＴＤＳ、淹出されたコーヒーの抽出収率、および／または同様のものを含み得る。例えば、淹出されたコーヒーのＴＤＳは、実行される複数の淹出動作上で約５％、またはより一般には約１０％、または更により一般には約２５％の所定の好適な変動内で再現可能であり得る一方で、環境上のおよび機器パラメータ、例えば、限定されるものではないが、本明細書に記載されたおよび／または例示された淹出バスケットおよびフィルタパックの形状ならびにサイズなどを一定に維持する。
【０１１９】
図１６の淹出テスト２０２ａ、２０２ｂ、および２０２ｃは、同じ淹出バスケットおよびフィルタパックの形状ならびにサイズを使用して実行された複数の淹出動作にわたるＴＤＳの再現可能性の一例を例示する。具体的には、淹出テスト２０２ａ、２０２ｂ、および２０２ｃの淹出されたコーヒーの最も低いＴＤＳが１１４９ｐｐｍで、最も高いのは１１７７ｐｐｍである。したがって、淹出されたコーヒーのＴＤＳは、淹出テスト２０２ａ、２０２ｂ、および２０２ｃにわたって約２．４％の変動がある。
【０１２０】
図１７のテスト淹出セット３０２ａ、３０２ｂ、および３０２ｃは、同じ淹出バスケットおよびフィルタパックの形状ならびにサイズを使用して実行された複数の淹出動作にわたるＴＤＳの再現可能性の別の例を例示する。具体的には、（継ぎ目上向きの構成が原因で）テスト淹出セット３０２ａのテスト淹出番号１のＴＤＳ結果３０６ａを無視すると、テスト淹出セット３０２ａの淹出されたコーヒーの最も低いＴＤＳ結果は７８４．１０ｐｐｍであり、最も高いのは９２２．７０ｐｐｍである。したがって、淹出されたコーヒーのＴＤＳは、テスト淹出セット３０２ａの淹出テストにわたって約１５．０％の変動がある。（継ぎ目上向きの構成が原因で）テスト淹出セット３０２ｂのテスト淹出番号３０のＴＤＳ結果３０６ａを無視すると、テスト淹出セット３０２ｂの淹出されたコーヒーの最も低いＴＤＳ結果は７８９．２０ｐｐｍであり、最も高いのは９３３．６０ｐｐｍである。したがって、淹出されたコーヒーのＴＤＳは、テスト淹出セット３０２ｂの淹出テストにわたって約１５．５％の変動がある。テスト淹出セット３０２ｃの淹出されたコーヒーの最も低いＴＤＳ結果は６６２．２０ｐｐｍであり、最も高いのは７８７．９０ｐｐｍである。したがって、淹出されたコーヒーのＴＤＳは、テスト淹出セット３０２ｃの淹出テストにわたって約１６．０％の変動がある。特に、ＴＤＳ結果３０６ａは、テスト淹出セット３０２ａおよび３０２ｃと比較して、テスト淹出セット３０２ｂについて異なるコーヒーブレンドを使用して取得した。
【０１２１】
淹出されたコーヒーの抽出収率の所定の好適な変動は、環境上のパラメータがほぼ一定（または所定の許容範囲内）に維持されるときに実行された複数の淹出動作上で約５％であり、かつ、同じ淹出バスケットおよび同じフィルタパックの形状ならびにサイズが、淹出動作にわたって使用される。より一般的には、淹出されたコーヒーの抽出収率が、複数の淹出動作上で約１０％の所定の変動内で再現可能であり得、または、複数の淹出動作上で約１７．５％の所定の変動内で再現可能であり得る。更により一般的には、淹出されたコーヒーの抽出収率は、約２５％の所定の変動内で再現可能である。
【０１２２】
図１７のテスト淹出セット３０２ａ、３０２ｂ、および３０２ｃは、同じ淹出バスケットおよびフィルタパックの形状ならびにサイズを使用して実行された複数の淹出動作にわたる淹出されたコーヒーの抽出収率の再現可能性の一例を例示する。具体的には、（継ぎ目上向きの構成が原因で）テスト淹出セット３０２ａのテスト淹出番号１の抽出収率結果３０６ｂを無視すると、テスト淹出セット３０２ａの淹出されたコーヒーの最も低い抽出収率結果は２２．６５％であり、最も高いのは２６．１８％である。したがって、淹出されたコーヒーの抽出収率は、テスト淹出セット３０２ａの淹出テストにわたって約１３．５％の変動がある。（継ぎ目上向きの構成が原因で）テスト淹出セット３０２ｂのテスト淹出番号３０の抽出収率結果３０６ｂを無視すると、テスト淹出セット３０２ｂの淹出されたコーヒーの最も低い抽出収率結果は２２．８３％であり、最も高いのは２６．０４％である。したがって、淹出されたコーヒーの抽出収率は、テスト淹出セット３０２ｂの淹出テストにわたって約１２．３％の変動がある。テスト淹出セット３０２ｃの淹出されたコーヒーの最も低い抽出収率結果は１９．０１％であり、最も高いのは２２．２０％である。したがって、淹出されたコーヒーの抽出収率は、テスト淹出セット３０２ｃの淹出テストにわたって約１４．４％の変動がある。特に、抽出収率結果３０６ｂは、テスト淹出セット３０２ａおよび３０２ｃと比較して、テスト淹出セット３０２ｂについて異なるコーヒーブレンドを使用して取得した。
【０１２３】
図示されないが、淹出されたコーヒーのｐＨ結果が、淹出されたコーヒーの酸味を表現し得、それは、コーヒーの味の苦味に現れ得る。淹出されたコーヒーのｐＨは、コーヒーを淹出するために使用される水のｐＨに単に依存する。淹出されたコーヒーのｐＨは、コーヒーを淹出するために使用されるｐＨを制御することによって再現可能であり得る。
【０１２４】
本明細書に記載されたおよび／または例示された淹出バスケット、フィルタパック、および／またはフィルタの任意の選択された実施形態は、所定の抽出収率（または所定の範囲の抽出収率）を達成するように構成され得る。例えば、コーヒー粉は、所定の総可用固体（すなわち、コーヒー粉の固定量の総固体容量）を含有する。抽出収率は、所定の総可用固体の百分率として表現され得る。本明細書に記載されたおよび／または例示された淹出容器（例えば、淹出容器３０）の任意の選択された実施形態は、加熱水が、コーヒー粉内で可用な所定の総可用固体の少なくとも１４％を蓄積するまでコーヒー粉を通って流れるように、構成され得る。いくつかの実施形態では、加熱水が、コーヒー粉内で可用な所定の総可用固体の約１４％〜約２７％の間を蓄積するまでコーヒー粉を通って流れる。いくつかの実施形態では、加熱水が、コーヒー粉内で可用な所定の総可用固体の約１８％〜約２２％の間を蓄積するまでコーヒー粉を通って流れる。抽出収率に関して一般に上記したように、加熱水によって蓄積されるコーヒー粉内で可用な所定の総可用固体の百分率が、非常に限定された変動を伴って高度に再現可能である。
【０１２５】
図１８は、淹出バスケット３１８の別の実施形態およびフィルタパック３６６の別の実施形態のアセンブリ３８８の斜視図である。淹出バスケット３１８は、例えば、淹出マシン１０（図１）と共に使用され得る。淹出バスケット３１８は、淹出動作の間にコーヒー粉の相補的なフィルタパック３６６を保有するための淹出容器３３０を画定する本体３２８を含む。淹出バスケット３１８の本体３２８は、中心の長手方向の軸３３２に沿って開いた上部３３４から下端部３３６まで延出する内部に先細りになった複数側面３次元（３Ｄ）形状を含む。淹出容器３３０もまた、中心の長手方向の軸３３２に沿って開いた上部３３４から下端部３３６まで延出する内部に先細りになった複数側面３Ｄ形状を含む。
【０１２６】
例示された実施形態では、淹出容器３３０の複数側面３Ｄ形状が、矩形形状を有する。本体３２８は、開いた上部３３４から下端部３３６の１つ以上の開口部３３８まで延出する４つの側壁３５０、３５２、３５４、および３５６を含む。淹出容器３３０の例示された実施形態は、中心の長手方向の軸３３２にほぼ垂直に延出する平面に沿って取られた正方形断面形状を含む。しかしながら、淹出容器３３０は、他の矩形形状を含んでもよい。
【０１２７】
フィルタパック３６６は、例えば、フィルタパック３６６が淹出容器３３０内に比較的密な適合を有するように、淹出容器３３０の複数側面３Ｄ形状と実質的に類似すると共に相補的である概ね先細りの複数側面３Ｄ形状およびサイズを有する。
【０１２８】
任意選択的に、フィルタパック３６６は、フィルタパック３６６の漏斗形状区分４２０が淹出容器３３０の漏斗形作区分３５６を実質的に埋めるように、淹出容器３３０内に保有される。淹出マシンから供給される加熱水は、任意選択的に、フィルタパック３６６の閉じた上部３９０上に貯留するように構成される。フィルタパック３６６は、任意選択的に、淹出動作の間に淹出バスケット３１８の本体３２８に対して封止するように構成される。
【０１２９】
図１９は、淹出バスケット５１８の別の実施形態およびフィルタパック５６６の別の実施形態のアセンブリ５８８の斜視図である。淹出バスケット５１８は、例えば、淹出マシン１０（図１）と共に使用され得る。淹出バスケット５１８は、淹出動作の間にコーヒー粉の相補的なフィルタパック５６６を保有するための淹出容器５３０を画定する本体５２８を含む。淹出バスケット５１８の本体５２８は、中心の長手方向の軸５３２に沿って開いた上部５３４から下端部５３６まで延出する内部に先細りになった複数側面３次元（３Ｄ）形状を含む。淹出容器５３０はまた、中心の長手方向の軸５３２に沿って開いた上部５３４から下端部５３６まで延出する内部に先細りになった複数側面３Ｄ形状を含む。
【０１３０】
例示された実施形態では、淹出容器５３０の複数側面３Ｄ形状が、八角形の断面形状を含む５つの側面形状を有する。本体５２８は、開いた上部５３４から下端部５３６の１つ以上の開口部５３８まで延出する５つの側壁５５０、５５２、５５４、５５６、および５５８を含む。淹出容器５３０の例示された実施形態は、中心の長手方向の軸５３２にほぼ垂直に延出する平面に沿って取られた八角形の断面形状を含む。
【０１３１】
フィルタパック５６６は、例えば、フィルタパック５６６が淹出容器５３０内に比較的密な適合を有するように、淹出容器５３０の複数側面３Ｄ形状と実質的に類似する共に相補的である概ね先細りの複数側面３Ｄ形状およびサイズを有する。
【０１３２】
任意選択的に、フィルタパック５６６は、フィルタパック５６６の漏斗形状区分６２０が淹出容器５３０の漏斗形状区分５５６を実質的に埋めるように、淹出容器５３０内に保有される。淹出マシンから供給される加熱水は、任意選択的に、フィルタパック５６６の閉じた上部５９０上に貯留するように構成される。フィルタパック５６６は、任意選択的に、淹出動作の間に淹出バスケット５１８の本体５２８に対して封止するように構成される。
【０１３３】
図２０は、淹出バスケット７１８の別の実施形態およびフィルタパック７６６の別の実施形態のアセンブリ７８８の斜視図である。淹出バスケット７１８は、例えば、淹出マシン１０（図１）と共に使用され得る。淹出バスケット７１８は、淹出動作の間にコーヒー粉の相補的なフィルタパック７６６を保有するための淹出容器７３０を画定する本体７２８を含む。淹出バスケット７１８の本体７２８は、中心の長手方向の軸７３２に沿って開いた上部７３４から下端部７３６まで延出する内部に先細りになった複数側面３次元（３Ｄ）形状を含む。淹出容器７３０はまた、中心の長手方向の軸７３２に沿って開いた上部７３４から下端部７３６まで延出する内部に先細りになった複数側面３Ｄ形状を含む。
【０１３４】
淹出バスケット７１８の本体７２８の３Ｄ形状は、任意の形状、例えば、限定されるものではないが、三角錐形状、円錐形状（すなわち、円断面形状）、異なる三角断面形状、楕円断面形状、矩形断面形状（すなわち、４つの側壁によって画定された形状）、正方形断面形状（すなわち、４等辺側壁によって画定された形状）、八角形断面形状（すなわち、５つの側壁によって画定された形状）、少なくとも４つの側壁によって画定された形状、少なくとも５つの側壁によって画定された形状、および／または同様のものなどを有してもよい。
【０１３５】
フィルタパック７６６は、例えば、フィルタパック７６６が、淹出容器７３０内に比較的密な適合を有するように、淹出容器７３０の複数側面３Ｄ形状と実質的に類似すると共に相補的であるサイズおよび形状を有する。例えば、フィルタパック７６６は、淹出バスケット７１８の淹出容器７３０の（中心の長手方向の軸７３２にほぼ垂直に延出する平面に沿って取られた）断面形状およびサイズと相補的である（中心の長手方向の軸７３２にほぼ垂直に延出する平面に沿って取られた）二次元（２Ｄ）形状およびサイズを含む。フィルタパック７６６は、任意の値の高さＨ２を有してもよく、それは、淹出容器７３０の高さＨ３と関係があり得る。いくつかの実施形態では、フィルタパック７６６の高さＨ２が、約２５％よりも少ない、約１５％よりも少ない、または淹出容器７３０の高さＨ３の約１０％よりも少ない。
【０１３６】
淹出マシンから供給される加熱水は、任意選択的に、フィルタパック７６６の閉じた上部７９０上に貯留するように構成される。フィルタパック７６６は、任意選択的に、淹出動作の間に淹出バスケット７１８の本体７２８に対して封止するように構成される。
【０１３７】
図２１は、淹出バスケット８１８の別の実施形態の断面図であり、淹出容器３０（図１〜５および１０〜１５）の下端部３６（図２〜５および１０〜１５）の開口部３８（図２〜５および１０〜１５）の代替の実施形態を例示する。淹出バスケット８１８は、例えば、淹出マシン１０（図１）と共に使用され得る。淹出バスケット８１８は、淹出動作の間にコーヒー粉の相補的なフィルタパック（図示されない。例えば、図６〜１５に示されるフィルタパック６６）を保有するための淹出容器８３０を画定する本体８２８を含む。淹出バスケット８１８の本体８２８は、中心の長手方向の軸８３２に沿って開いた上部８３４から下端部８３６まで延出する内部に先細りになった複数側面３次元（３Ｄ）形状を含む。淹出容器８３０はまた、中心の長手方向の軸８３２に沿って開いた上部８３４から下端部８３６まで延出する内部に先細りになった複数側面３Ｄ形状を含む。
【０１３８】
淹出容器８３０の下端部８３６は、淹出されたコーヒーが、淹出バスケット８１８の淹出容器８３０からコーヒー受け取り用の器（例えば、図１に示されるコーヒー受け取り用の器２２の中に流れることを許容するように、本体８２８を通って延出する１つ以上の開口部８３８を含む。開口部（複数可）８３８は、通常、「ドリップ噴出口」と称され得る。
【０１３９】
淹出バスケット８１８の例示された実施形態は、２つの開口部８３８を含む。しかしながら、淹出バスケット８１８は、任意の数の開口部８３８を含み得、その各開口部は、任意のサイズおよび任意の形状を有し得る。図２１に見られ得るように、開口部８３８は、淹出容器８３０の下端部８３６のそれぞれの側面８５０および８５２においてそれぞれ延出し、縁部８５４が、それらの開口部８３８間に延出する。
【０１４０】
図２２は、フィルタパック６６（図６〜１５）の代わりに淹出バスケット１８（図１〜５および１０〜１５）との使用のためのフィルタ９６６のある実施形態の斜視図である。フィルタ９６６は、コーヒー粉を保有するように構成された通液可能な本体９６８を含む。具体的には、本体９６８は貯蔵器９０８を含み、その貯蔵器の中にコーヒー粉が含有される。フィルタ９６６の本体９６８は、淹出動作の間に淹出マシン１０（図１）からの加熱水を受け入れるために淹出バスケット１８の淹出容器３０（図１〜５および１０〜１５）内に保有されるように構成される。淹出動作の間に、加熱水をフィルタ９６６内に含有されたコーヒー粉に浸透させ、それによって、コーヒーを淹出する。
【０１４１】
フィルタ９６６の本体９６８は、淹出バスケット１８の淹出容器３０の３Ｄ形状およびサイズと実質的に類似すると共に相補的である概ね先細りの複数側面３Ｄ形状およびサイズを含む。具体的には、本体９６８は、開いた上部９１０から複数側面３Ｄ形状の頂点９８０までの高さだけ延出する概ね先細りの複数側面３Ｄ形状を含む。例示された実施形態では、フィルタ９６６の本体９６８の複数側面３Ｄ形状が、四面体形状、より具体的には、三角錐を成す。具体的には、本体９６８は、３つの側面９７２、９７４、および９７６、ならびに開いた上部９１０を含み、それらは、互いとほぼ同じサイズを有する正三角形としてそれぞれ形作られる。側面９７２、９７４、および９７６、ならびに開いた上部９１０は、例示された三角錐形状に配置され、それらは、側面９７２、９７４、および９７６が交差する頂点９８０を含む。
【０１４２】
上記したように、フィルタ９６６の本体９６８の複数側面３Ｄ形状は、概ね先細りになっている。具体的には、本体９６８の複数側面３Ｄ形状は、開いた上部９１０から頂点９８０まで先細りになっている。任意選択的に、本体９６８の複数側面３Ｄ形状は、開いた上部９１０から頂点９８０まで連続的に先細りになっている。任意選択的に、本体９６８の先細りの量は、開いた上部９１０から頂点９８０まで実質的に均一である。
【０１４３】
フィルタ９６６は、頂点９８０が淹出容器３０内で倒置されるように、かつ開いた上部９１０が開いた上部３４（図２〜５および１０〜１５）の方へ上向きに向くように、および／または淹出容器３０の開いた上部３４に近接して位置するように、淹出容器３０内に保有されるように構成される。図２２に示されるように、本体９６８の複数側面３Ｄ形状は、頂点９８０に近接して位置付けられた漏斗形状区分９２０を含む。例えば、コーヒー粉からの抽出を容易にするために、コーヒー粉が漏斗形状区分９２０を埋めるように、フィルタ９６６は、淹出容器３０内に収容されるように構成される。漏斗形状区分９２０は、コーヒー粉を保有するように構成された容積を有する。フィルタ９６６の本体９６８は、漏斗形状区分９２０と開いた上部９１０との間に延出する頭部空間９３０を含む。例えば、コーヒー粉からの抽出を容易にするために、本体９６８が淹出容器３０内に収容されると共に漏斗形状区分９２０が淹出容器３０の漏斗形状区分５６（図２〜５、１１、１２、１４、および１５）内に収容されるときに、頭部空間９３０が、淹出容器３０の頭部区分１２８（図１１および１２）内に延出するように構成される。
【０１４４】
フィルタ９６６を使用してコーヒーを淹出するために、フィルタ９６６の本体９６８は、頂点９８０が淹出容器３０内で倒置されるように、かつ、開いた上部９１０が開いた上部３４の方へ上向きに向くように、および／または淹出容器３０の開いた上部３４に近接して位置するように、淹出バスケット１８の淹出容器３０に装入される。フィルタ９６６がそのように淹出容器３０に装入されると、フィルタ９６６の漏斗形状区分９２０が、淹出容器３０の漏斗形状区分５６内に収容される。次いで、コーヒー粉が、淹出マシン１０のユーザによって、フィルタ９６６の容器９０８の中に投入され得る。加えてまたはあるいは、コーヒー粉は、フィルタ９６６が淹出容器３０に装入される前に（および／またはそれと同時に）フィルタ９６６の容器９０８の中に投入され得る。上記したように、例えば、コーヒー粉からの抽出を容易にするために、コーヒー粉が漏斗形状区分９２０を埋める。
【０１４５】
フィルタ９６６の本体９６８の複数側面３Ｄ形状は、任意の量の先細りだけ連続的に先細りになり得る。例えば、貯蔵器９０８が任意の容積を有し得、漏斗形状区分９２０が任意の容積を有し得、頭部空間９３０が任意の容積を有し得る。容器９０８の容積、漏斗形状区分９２０の容積、および／または頭部空間９３０の容積の選択は、（１）淹出容器３０を通って移動する加熱水の乱流を増加させるように、（２）フィルタ９６６と淹出バスケット１８の本体２８との間に封止を生成するように、（３）コーヒー粉に浸透せずにフィルタ９６６の本体９６８の周りにおよび開口部３８を通って（図２〜５、１１、１２、１４、および１５）流れる加熱水の量を防止するか低減するように、（４）コーヒー粉に浸透させる加熱水の量を増加させるように、ならびに／あるいは（５）淹出されたコーヒーの質に影響を及ぼすように、選択され得る。
【０１４６】
フィルタパック９６６の本体９６８の複数側面３Ｄ形状は、フィルタ９６６の例示された実施形態の三角錐形状に限定されないが、むしろ、更にまたはあるいは、淹出バスケット１８と相補的である任意の他の形状を含んでもよい。換言すれば、三角錐形状に加えてまたは代えて、フィルタ９６６の複数側面３Ｄ形状は、２より大きな任意の数の側面によって画定された任意の他の形状、例えば、限定されるものではないが、２つの側辺によって画定された断面形状（すなわち、３つの側面によって画定された形状）、異なる三角断面形状、異なる四面体形状、矩形断面形状（すなわち、５つの側面によって画定された形状）、正方形断面形状（すなわち、５つの等辺側面によって画定された形状）、八角形断面形状（すなわち、６つの側面によって画定された形状）、少なくとも５つの側面側壁によって画定された形状、少なくとも６つの側面によって画定された形状、および／または同様のものなどを含み得る。
【０１４７】
いくつかの実施形態では、フィルタ９６６の本体９６８が、一杯分のコーヒーを淹出するのに適した量のコーヒー粉を含有するように構成され、任意選択的に、１回（または限定された数の使用のために）使用され、次いで、廃棄されるように設計される。あるいは、フィルタ９６６の本体９６８が、単一の淹出動作において一杯分を超えるコーヒーを淹出するのに十分な量のコーヒー粉を含有するように構成される。
【０１４８】
フィルタ９６６の本体９６８は、任意の材料、例えば、限定されるものではないが、紙、網、金属、ナイロン、天然素材（例えば、パルプ、米の外殻、小麦の殻、［シュガーカン［ｓｉｃ］］パルプ、木材、セルロース、および／または同様のもの）、ならびに／あるいは同様のものなどから製造されてもよい。本体９６８は、本体９６８に任意の量の液体透過性を提供する任意の多孔性を有してもよい。
【０１４９】
本明細書において使用される際、単数形で列挙したおよび単語「ａ」または「ａｎ」を用いて出てきた要素またはステップは、そのような排除が明示的に述べられない限り、その要素またはステップの複数を排除しないことを理解されたい。なおその上に、「一実施形態」または「ある実施形態」への言及は、列挙した特徴もまた組み込む追加の実施形態の存在を排除するものとして解釈されることを意図されない。その上、明示的に逆に述べられない限り、特定の特性を有する１つの要素もしくは複数の要素を「備える」または「有する」実施形態は、その特性を有さない追加の要素を含み得る。
【０１５０】
上記は、例示的なものであって制限的なものではないことが意図されることが理解される。例えば、上記した実施形態（および／またはそれらの態様）は、互いと組み合わせて使用され得る。加えて、多くの修正が、発明の教示に対して、その範囲から逸脱することなく特定の状況または材料に適合するようになされてもよい。本明細書に記載された寸法、材料の種類、様々な構成要素の配向性、ならびに様々な構成要素の数および位置は、一定の実施形態のパラメータを定義することが意図され、決して限定するものではなく、単に例となる実施形態である。特許請求の範囲の趣旨および範囲内の多数の他の実施形態ならびに修正は、上記を検討した後に当業者にとって明らかになる。したがって、発明の範囲は、かかる特許請求の範囲が権利を与えられる均等物の全範囲と共に、添付の特許請求の範囲を参照して判断されるべきである。添付の特許請求の範囲では、用語「含む」および「それにおいて（ｉｎ  ｗｈｉｃｈ）」は、それぞれの用語「備える」および「それにおいて（ｗｈｅｒｅｉｎ）」の平易な英語の均等物として使用される。その上、以下の特許請求の範囲では、用語「第１の」、「第２の」、および「第３の」等が、単に指示語として使用され、それらの対象に数字上の要求を強いることを意図されない。更に、以下の特許請求の範囲の限定は、ミーンズプラスファンクション形式で書かれておらず、かかる特許請求の範囲の限定が、更なる構造の無い機能の記述が後に続く「ｍｅａｎｓ  ｆｏｒ（〜ための手段）」という言い回しを明示的に使用しない限りおよびそれを使用するまで、３５Ｕ．Ｓ．Ｃ．§１１２、第６段落に基づいて解釈されることを意図されない。
【図１】
2016539766.tif 000003
【図２】
2016539766.tif 000004
【図３】
2016539766.tif 000005
【図４】
2016539766.tif 000006
【図５】
2016539766.tif 000007
【図６】
2016539766.tif 000008
【図７】
2016539766.tif 000009
【図８】
2016539766.tif 000010
【図９】
2016539766.tif 000011
【図１０】
2016539766.tif 000012
【図１１】
2016539766.tif 000013
【図１２】
2016539766.tif 000014
【図１３】
2016539766.tif 000015
【図１４】
2016539766.tif 000016
【図１５】
2016539766.tif 000017
【図１６】
2016539766.tif 000018
【図１７】
2016539766.tif 000019
【図１８】
2016539766.tif 000020
【図１９】
2016539766.tif 000021
【図２０】
2016539766.tif 000022
【図２１】
2016539766.tif 000023
【図２２】
2016539766.tif 000024
【国際調査報告】
2016539766.tif 000025
2016539766.tif 000026